(57)【要約】  ユーザ装置及び／又はネットワークノードのためのシステム、方法、及び装置が開示される。ユーザ装置（２１０）によって実行される例示的な方法は、ネットワークノード（２６０）を介して無線アクセスネットワーク（２０６）への接続を確立すること（１０２）を含む。この接続は、新無線（ＮＲ）パケットデータコンバージェンスプロトコル設定で構成されたシグナリング無線ベアラを使用して、ＵＥとネットワークノードとの間の通信を提供する。ユーザ装置は、無線リソース制御接続再確立メッセージを受信し（１０４）、ＲＡＮへの接続を再確立する（１０６）。この再確立は、ＳＲＢにロングタームエボリューションＰＤＣＰ設定を適用することを含む。
2021503207.tif 000002
【特許請求の範囲】
【請求項１】
ユーザ装置（２１０）（ＵＥ）により実行される方法であって、前記方法は、
ネットワークノード（２６０）を介して無線アクセスネットワーク（２０６）（ＲＡＮ）への接続を確立すること（１０２）であって、前記接続は、新無線（ＮＲ）パケットデータコンバージェンスプロトコル（ＰＤＣＰ）設定で構成されたシグナリング無線ベアラ（ＳＲＢ）を使用して、前記ＵＥと前記ネットワークノードとの間の通信を提供する、ことと、
無線リソース制御（ＲＲＣ）接続再確立メッセージを受信すること（１０４）と、
前記ＲＡＮへの前記接続を再確立すること（１０６）であって、前記再確立は、ロングタームエボリューション（ＬＴＥ）ＰＤＣＰ設定を前記ＳＲＢに適用することを含む、ことと、
を備える、方法。
【請求項２】
請求項１に記載の方法であって、前記ＳＲＢは、シグナリング無線ベアラ１（ＳＲＢ１）を含む、
方法。
【請求項３】
請求項１乃至２のいずれか一項に記載の方法であって、更に、
ＮＲ暗号化アルゴリズム又はＮＲ完全性保護アルゴリズムのうちの少なくとも１つを、事前定義されたＬＴＥアルゴリズムにマッピングすることを備える、
方法。
【請求項４】
請求項３に記載の方法であって、更に、
少なくとも１つのネットワークノードから前記事前定義されたＬＴＥアルゴリズムを受信することを備える、
方法。
【請求項５】
請求項３乃至４のいずれか一項に記載の方法であって、更に、
前記ネットワークノードからメッセージを受信することと、
前記ＳＲＢの前記ＬＴＥ  ＰＤＣＰ設定と前記事前定義されたＬＴＥアルゴリズムとを用いて前記メッセージを復号することと、
を備える、方法。
【請求項６】
請求項１乃至５のいずれか一項に記載の方法であって、更に、
前記ＳＲＢ上で前記ＬＴＥ  ＰＤＣＰ設定を用いて、少なくとも１つのネットワークノードへメッセージを送信することを備える、
方法。
【請求項７】
請求項１乃至６のいずれか一項に記載の方法であって、前記ネットワークノードは、第２のネットワークノードへ、前記ＵＥに対応する修正されたアクセスストラタム（ＡＳ）コンテキストを提供する、
方法。
【請求項８】
請求項７に記載の方法であって、前記修正されたＡＳコンテキストは、前記ＮＲ  ＰＤＣＰ設定から前記ＬＴＥ  ＰＤＣＰ設定へと変更するインジケーションを含む、
方法。
【請求項９】
請求項７乃至８のいずれか一項に記載の方法であって、前記ネットワークノードが前記第２のネットワークノードへ前記修正されたＡＳコンテキストを提供する前に、前記ネットワークノードは、前記第２のネットワークノードが前記ＮＲ  ＰＤＣＰ設定をサポートしていないことを判定する、
方法。
【請求項１０】
無線アクセスネットワーク（２０６）（ＲＡＮ）におけるネットワークノード（２６０）によって実行される方法であって、前記方法は、
新無線（ＮＲ）パケットデータコンバージェンスプロトコル（ＰＤＣＰ）設定で構成されたシグナリング無線ベアラ（ＳＲＢ）を介して前記ＲＡＮに以前接続されていたユーザ装置（２１０）（ＵＥ）に対して、無線リソース制御（ＲＲＣ）接続再確立メッセージを提供すること（１０３）と、
前記ＲＡＮへの前記ＵＥの接続を再確立すること（１０５）であって、前記再確立は、前記ＳＲＢのロングタームエボリューション（ＬＴＥ）ＰＤＣＰ設定を適用することを含む、ことと、
を備える、方法。
【請求項１１】
請求項１０に記載の方法であって、前記ＳＲＢは、シグナリング無線ベアラ１（ＳＲＢ１）を含む、
方法。
【請求項１２】
請求項１０乃至１１のいずれか一項に記載の方法であって、更に、
ＮＲ暗号化アルゴリズム又はＮＲ完全性保護アルゴリズムのうちの少なくとも１つを、事前定義されたＬＴＥアルゴリズムにマッピングすることを備える、
方法。
【請求項１３】
請求項１２に記載の方法であって、更に、
前記ＵＥに対して前記事前定義されたＬＴＥアルゴリズムを提供することを備える、
方法。
【請求項１４】
請求項１０乃至１３のいずれか一項に記載の方法であって、更に、
前記ＳＲＢ上で前記ＬＴＥ  ＰＤＣＰ設定を用いて、前記ＵＥからメッセージを受信することを備える、
方法。
【請求項１５】
請求項１０乃至１４のいずれか一項に記載の方法であって、更に、
第２のネットワークノードから、前記ＵＥに対応する修正されたアクセスストラタム（ＡＳ）コンテキストを受信することを備える、
方法。
【請求項１６】
請求項１５に記載の方法であって、前記修正されたＡＳコンテキストは、前記ＮＲ  ＰＤＣＰ設定から前記ＬＴＥ  ＰＤＣＰ設定へと変更するインジケーションを含む、
方法。
【請求項１７】
請求項１５乃至１６のいずれか一項に記載の方法であって、前記修正されたＡＳコンテキストを受信する前に、前記第２のネットワークノードは、前記ネットワークノードが前記ＮＲ  ＰＤＣＰ設定をサポートしていないことを判定する、
方法。
【請求項１８】
動作を実行するように構成された処理回路（２２０）を有するユーザ装置（２１０）（ＵＥ）であって、前記動作は、
ネットワークノード（２６０）を介して無線アクセスネットワーク（２０６）（ＲＡＮ）への接続を確立すること（１０２）であって、前記接続は、新無線（ＮＲ）パケットデータコンバージェンスプロトコル（ＰＤＣＰ）設定で構成されたシグナリング無線ベアラ（ＳＲＢ）を使用して、前記ＵＥと前記ネットワークノードとの間の通信を提供する、ことと、
無線リソース制御（ＲＲＣ）接続再確立メッセージを受信すること（１０４）と、
前記ＲＡＮへの前記接続を再確立すること（１０６）であって、前記再確立は、前記ＳＲＢのロングタームエボリューション（ＬＴＥ）ＰＤＣＰ設定を適用することを含む、ことと、
を備える、ユーザ装置。
【請求項１９】
請求項１８に記載のユーザ装置であって、前記ＳＲＢは、シグナリング無線ベアラ１（ＳＲＢ１）を含む、
ユーザ装置。
【請求項２０】
請求項１８乃至１９のいずれか一項に記載のユーザ装置であって、前記動作は更に、
ＮＲ暗号化アルゴリズム又はＮＲ完全性保護アルゴリズムのうちの少なくとも１つを、事前定義されたＬＴＥアルゴリズムにマッピングすることを備える、
ユーザ装置。
【請求項２１】
請求項２０に記載のユーザ装置であって、前記動作は更に、
少なくとも１つのネットワークノードから前記事前定義されたＬＴＥアルゴリズムを受信することを備える、
ユーザ装置。
【請求項２２】
請求項２０乃至２１のいずれか一項に記載のユーザ装置であって、更に、
前記ネットワークノードからメッセージを受信することと、
前記ＳＲＢの前記ＬＴＥ  ＰＤＣＰ設定と前記事前定義されたＬＴＥアルゴリズムとを用いて前記メッセージを復号することと、
を備える、ユーザ装置。
【請求項２３】
請求項１８乃至２２のいずれか一項に記載のユーザ装置であって、前記動作は更に、
前記ＳＲＢ上で前記ＬＴＥ  ＰＤＣＰ設定を用いて、少なくとも１つのネットワークノードへメッセージを送信することを備える、
ユーザ装置。
【請求項２４】
請求項１８乃至２３のいずれか一項に記載のユーザ装置であって、前記ネットワークノードは、第２のネットワークノードへ、前記ＵＥに対応する修正されたアクセスストラタム（ＡＳ）コンテキストを提供する、
ユーザ装置。
【請求項２５】
請求項２４に記載のユーザ装置であって、前記修正されたＡＳコンテキストは、前記ＮＲ  ＰＤＣＰ設定から前記ＬＴＥ  ＰＤＣＰ設定へと変更するインジケーションを含む、
ユーザ装置。
【請求項２６】
請求項２４乃至２５のいずれか一項に記載のユーザ装置であって、前記ネットワークノードが前記第２のネットワークノードへ前記修正されたＡＳコンテキストを提供する前に、前記ネットワークノードは、前記第２のネットワークノードが前記ＮＲ  ＰＤＣＰ設定をサポートしていないことを判定する、
ユーザ装置。
【請求項２７】
動作を実行するように構成された処理回路（２７０）を有するネットワークノード（２６０）であって、前記動作は、
無線アクセスネットワーク（２０６）（ＲＡＮ）に以前接続されていたユーザ装置（２１０）（ＵＥ）に対して、無線リソース制御（ＲＲＣ）接続再確立メッセージを提供すること（１０３）であって、前記接続は、新無線（ＮＲ）パケットデータコンバージェンスプロトコル（ＰＤＣＰ）設定で構成されたシグナリング無線ベアラ（ＳＲＢ）を用いる通信を提供する、ことと、
前記ＲＡＮへの前記ＵＥの接続を再確立すること（１０５）であって、前記再確立は、前記ＳＲＢのロングタームエボリューション（ＬＴＥ）ＰＤＣＰ設定を適用することを含む、ことと、
を備える、ネットワークノード。
【請求項２８】
請求項２７に記載のネットワークノードであって、前記ＳＲＢは、シグナリング無線ベアラ１（ＳＲＢ１）を含む、
ネットワークノード。
【請求項２９】
請求項２７乃至２８のいずれか一項に記載のネットワークノードであって、前記動作は更に、
ＮＲ暗号化アルゴリズム又はＮＲ完全性保護アルゴリズムのうちの少なくとも１つを、事前定義されたＬＴＥアルゴリズムにマッピングすることを備える、
ネットワークノード。
【請求項３０】
請求項２９に記載のネットワークノードであって、前記動作は更に、
前記ＵＥに対して前記事前定義されたＬＴＥアルゴリズムを提供することを備える、
ネットワークノード。
【請求項３１】
請求項２７乃至３０のいずれか一項に記載のネットワークノードであって、前記動作は更に、
前記ＳＲＢ上で前記ＬＴＥ  ＰＤＣＰ設定を用いて、前記ＵＥからメッセージを受信することを備える、
ネットワークノード。
【請求項３２】
請求項２７乃至３１のいずれか一項に記載のネットワークノードであって、前記動作は更に、
第２のネットワークノードから、前記ＵＥに対応する修正されたアクセスストラタム（ＡＳ）コンテキストを受信することを備える、
ネットワークノード。
【請求項３３】
請求項３２に記載のネットワークノードであって、前記修正されたＡＳコンテキストは、前記ＮＲ  ＰＤＣＰ設定から前記ＬＴＥ  ＰＤＣＰ設定へと変更するインジケーションを含む、
ネットワークノード。
【請求項３４】
請求項３２乃至３３のいずれか一項に記載のネットワークノードであって、前記修正されたＡＳコンテキストを受信する前に、前記第２のネットワークノードは、前記ネットワークノードが前記ＮＲ  ＰＤＣＰ設定をサポートしていないことを判定する、
ネットワークノード。
【請求項３５】
システムであって、
第１のネットワークノード（２６０）を介して無線アクセスネットワーク（２０６）（ＲＡＮ）へ通信可能に結合されるユーザ装置（２１０）（ＵＥ）と、
新無線（ＮＲ）パケットデータコンバージェンスプロトコル（ＰＤＣＰ）設定で構成されたシグナリング無線ベアラ（ＳＲＢ）を介して前記ＵＥと通信する（１０３）ように構成された前記第１のネットワークノードと、
前記ＵＥに対して、無線リソース制御（ＲＲＣ）接続再確立メッセージを提供する（１０５）第２のネットワークノード（２６０ｂ）であって、再確立の際に、前記ＵＥは、前記ＳＲＢのロングタームエボリューション（ＬＴＥ）ＰＤＣＰ設定に戻る、第２のネットワークノードと、
を備える、システム。
【請求項３６】
請求項３５に記載のシステムであって、前記ＳＲＢは、シグナリング無線ベアラ１（ＳＲＢ１）を含む、
システム。
【請求項３７】
請求項３５乃至３６のいずれか一項に記載のシステムであって、更に、
ＮＲ暗号化アルゴリズム又はＮＲ完全性保護アルゴリズムのうちの少なくとも１つを、事前定義されたＬＴＥアルゴリズムにマッピングすることを備える、
システム。
【請求項３８】
請求項３７に記載のシステムであって、前記ＵＥは、前記第１のネットワークノード又は前記第２のネットワークノードのうちの少なくとも１つから、前記事前定義されたＬＴＥアルゴリズムを受信する、
システム。
【請求項３９】
請求項３８に記載のシステムであって、前記ＵＥは、前記第２のネットワークノードからメッセージを受信し、前記ＵＥは、前記ＳＲＢの前記ＬＴＥ  ＰＤＣＰ設定と前記事前定義されたＬＴＥアルゴリズムとを用いて前記メッセージを復号する、
システム。
【請求項４０】
請求項３５乃至３９のいずれか一項に記載のシステムであって、前記第１のネットワークノードは、前記ＮＲ  ＰＤＣＰ設定をサポートし、前記第２のネットワークノードは、前記ＮＲ  ＰＤＣＰ設定をサポートしない、
システム。
【請求項４１】
請求項３５乃至４０のいずれか一項に記載のシステムであって、前記第１のネットワークノードは、前記第２のネットワークノードへ、前記ＵＥに対応する修正されたアクセスストラタム（ＡＳ）コンテキストを提供する、
システム。
【請求項４２】
請求項４１に記載のシステムであって、前記修正されたＡＳコンテキストは、前記ＮＲ  ＰＤＣＰ設定から前記ＬＴＥ  ＰＤＣＰ設定へと変更するインジケーションを含む、
システム。
【請求項４３】
請求項４１乃至４２のいずれか一項に記載のシステムであって、前記第１のネットワークノードが前記第２のネットワークノードへ前記修正されたＡＳコンテキストを提供する前に、前記第１のネットワークノードは、前記第２のネットワークノードが前記ＮＲ  ＰＤＣＰ設定をサポートしていないことを判定する、
システム。
【発明の詳細な説明】
【技術分野】
【０００１】
関連出願
本願は、２０１７年１１月１５日に出願された「Handling of PDCP version during RRC Connection Re-establishment procedure」というタイトルの米国仮出願第６２／５８６，３４８号からの優先権の利益を主張するものであり、その開示は参照によりその全体が本明細書に組み込まれる。
【０００２】
技術分野
本開示は、セルラネットワークなどの無線通信システムに関し、より詳細には、ネットワーク内の接続を設定するためにユーザ装置（user equipment、ＵＥ）及び／又はネットワークノードが実行する技術に関する。
【背景技術】
【０００３】
無線リソース制御プロトコル
ＬＴＥ(long term evolution)標準規格では、無線アクセスネットワーク（ＲＡＮ）においてＵＥとｅＮＢ(evolved node B)基地局との間の無線接続を設定／セットアップ(configure/setup)及び維持するために、無線リソース制御（ＲＲＣ）プロトコルが使用される。ＵＥが基地局からＲＲＣメッセージを受信すると、ＵＥは設定を適用／コンパイルし、これが成功すると、ＵＥはこのレスポンスをトリガしたメッセージのトランザクション識別子（ＩＤ）を示すＲＲＣ完了メッセージを生成する。
【０００４】
ＬＴＥリリース８以来、３つのシグナリング無線ベアラ（ＳＲＢ）、即ちＳＲＢ０、ＳＲＢ１、及びＳＲＢ２が、ＵＥと基地局との間のＲＲＣ及び非アクセスストラタム（ＮＡＳ）メッセージの伝送のために利用可能であった。ＳＲＢ１ｂｉｓとして知られる新しいＳＲＢも、ＮＢ−ＩｏＴにおけるＤｏＮＡＳ(Data Over NAS)をサポートするためにｒｅｌ−１３に導入された。
【０００５】
ＳＲＢ０は、ＣＣＣＨ論理チャネルを使用したＲＲＣメッセージ用であり、ＲＲＣ接続セットアップ、ＲＲＣ接続再開、及びＲＲＣ接続再確立を処理するために使用される。ＵＥが基地局に接続されると（即ち、ＲＲＣ接続セットアップ又はＲＲＣ接続再確立／再開が成功した）、ＳＲＢ１は、ＳＲＢ２の確立前に、ＲＲＣメッセージ（ピギーバックされたＮＡＳメッセージを含む場合がある）を処理するため、及びＮＡＳメッセージのために使用される（全てＤＣＣＨ論理チャネルを使用する）。
【０００６】
ＳＲＢ２は、ログ記録された測定情報を含むＲＲＣメッセージのためのものであり、かつ、ＮＡＳメッセージのためのものでもある（全てＤＣＣＨ論理チャネルを使用する）。ログ記録された測定情報及びＮＡＳメッセージは長い可能性があり、より緊急でより小さいＳＲＢ１メッセージのブロッキングを引き起こす可能性があるため、ＳＲＢ２はＳＲＢ１よりも低い優先度を有する。ＳＲＢ２は常に、セキュリティアクティベーションの後にＥ−ＵＴＲＡＮによって設定される。
【０００７】
ＬＴＥにおけるデュアルコネクティビティ
Ｅ−ＵＴＲＡＮは、Ｘ２インタフェースを介して理想的でないバックホールを経由して接続された２つの基地局に配置された２つの異なるスケジューラから提供される無線リソースをＲＲＣ＿ＣＯＮＮＥＣＴＥＤ内の複数の受信者（Ｒｘ）／発信者（ＴＸ）ＵＥが利用するように構成される、デュアルコネクティビティ（ＤＣ）動作をサポートする（３ＧＰＰ ３６．３００ 参照）。あるＵＥのＤＣに関与する基地局は、２つの異なる役割を担うことができ、即ち、基地局は、ＭＮ（マスタノード）として、又はＳＮ（セカンダリノード）としてのいずれかとしての役割を担うことができる。ＤＣでは、ＵＥが１つのＭＮ及び１つのＳＮに接続される。
【０００８】
ＬＴＥ  ＤＣでは、特定のベアラが使用する無線プロトコルアーキテクチャは、ベアラがどのようにセットアップされるかに依存する。３つのベアラタイプが存在する。即ち、ＭＣＧ（マスタセルグループ）ベアラ、ＳＣＧ（セカンダリセルグループ）ベアラ、及びスプリットベアラである。ＲＲＣはＭＮ内に位置し、ＳＲＢ（シグナリング無線ベアラ）は、常にＭＣＧベアラタイプとして設定され、従って、ＭＮの無線リソースのみを使用する。
【０００９】
ＬＴＥ−ＮＲデュアルコネクティビティ
ＬＴＥ−ＮＲ(New Radio)ＤＣ（ＬＴＥ−ＮＲタイトインターワーキングとも呼ばれる）は、現在、ｒｅｌ−１５について議論されている。この文脈において、ＬＴＥ  ＤＣからの主要な変更には、ＳＮからのスプリットベアラ（ＳＣＧスプリットベアラとして知られる）の導入、ＲＲＣのためのスプリットベアラの導入、及びＳＮからのダイレクトＲＲＣ（ＳＣＧ  ＳＲＢとも呼ばれる）の導入が含まれるが、これらに限定されない。
【００１０】
ＬＴＥがマスタノードでありＮＲがセカンダリノードである場合、ＳＮはＳｇＮＢと呼ばれることがあり（ここで、ｇＮＢはＮＲ基地局である）、ＭＮはＭｅＮＢと呼ばれる場合がある。ＮＲがマスタでありＬＴＥがセカンダリノードである他の場合、対応する用語はＳｅＮＢ及びＭｇＮＢである。
【００１１】
スプリットＲＲＣメッセージは、主にダイバーシティを作り出すために使用され、送信者は、ＲＲＣメッセージをスケジューリングするためにリンクのうちの１つを選択すると決定してもよいし、或いは送信者は両方のリンク上でメッセージを複製してもよい。ダウンリンクでは、ＭＣＧレグ又はＳＣＧレグの間のパス切り替え、又は両方での複製は、ネットワーク実装に任される。一方、ＵＬについては、ネットワークは、ＭＣＧレグ、ＳＣＧレグ、又は両方のレグを使用するようにＵＥを設定する。「レグ(leg)」及び「パス(path)」という用語は、本明細書を通じて交換可能に使用される。
【００１２】
以下の用語は、異なるデュアルコネクティビティシナリオを区別するために、本明細書全体にわたって使用される：（１）ＤＣ：ＬＴＥ  ＤＣ（即ち、ＭＮ及びＳＮの両方がＬＴＥを使用する）；（２）ＥＮ−ＤＣ：ＬＴＥ−ＮＲデュアルコネクティビティであり、ここでＬＴＥがマスタでありＮＲがセカンダリである；（３）ＮＥ−ＤＣ：ＬＴＥ−ＮＲデュアルコネクティビティであり、ここでＮＲがマスタでありＬＴＥがセカンダリである；（４）ＮＲ−ＤＣ（又はＮＲ−ＮＲ  ＤＣ）：ＭＮ及びＳＮの両方がＮＲを使用する；（５）ＭＲ−ＤＣ（マルチＲＡＴ  ＤＣ）：ＭＮ及びＳＮが異なるＲＡＴを使用する場合を説明するための総称（ＥＮ−ＤＣ及びＮＥ−ＤＣは、ＭＲ−ＤＣの２つの異なる事例である）。
【００１３】
ＥＮ−ＤＣにおけるベアラハーモナイゼーション
ＲＡＮ２では、以前はＭＣＧベアラ、ＭＣＧスプリットベアラ、ＳＣＧベアラ、及びＳＣＧスプリットベアラと呼ばれていたものを、以下の方法で調和させることが合意されている：
- （ＵＥがスタンドアロンＬＴＥモードで動作しておりＥＮ−ＤＣがセットアップされていない場合であってさえも）全てのベアラに対してＮＲ  ＰＤＣＰ(Packet Data Convergence Protocol)を使用するようにＵＥを設定することが可能である；
- ＮＲ  ＰＤＣＰで構成された全てのベアラに対して、セキュリティキーとしてＫｅＮＢ又はＳ−ＫｅＮＢを使用するようにＵＥを設定することが可能である（Ｓ−ＫｅＮＢは、ＥＮ−ＤＣの文脈ではＳ−ＫｇＮＢとも呼ばれる）。
【００１４】
- ＰＤＣＰ層の構成は、ＭＣＧ及びＳＣＧレグの下位層の構成から分離されている。
【００１５】
ＵＥの観点から、これは、３つの異なるベアラのみが存在することを意味する。即ち：
- ＭＮノードの無線のみを使用するＭＣＧベアラ；
- ＳＮノードの無線のみを使用するＳＣＧベアラ；
- ＭＮ及びＳＮの両方の無線を使用するスプリットベアラ。
【００１６】
これらのベアラがネットワーク内で終端される場合、ＵＥの観点からもはや重要ではなく、即ち、ＵＥは単に、各ベアラから設定されている鍵を使用するだけである。ＲＡＮ２の観点からは、ＳＮノードで終端されるＭＣＧベアラをＳ−ＫｅＮＢを用いて設定し、ＭＮノードで終端されるＳＣＧベアラを設定することが、完全にサポートされている。同様に、ＳＮ終端ベアラ及びＭＮ終端ベアラの両方を同時に、即ち、ＳＮ終端スプリットベアラ及びＭＮ終端スプリットベアラの両方をサポートすることが可能である。
【００１７】
ＲＲＣ接続再確立
ＬＴＥにおいて、ＵＥは、以下のいずれかが発生するとＲＲＣ接続再確立手順を開始する：無線リンクの障害を検出したとき、ハンドオーバー失敗時、Ｅ−ＵＴＲＡの障害からのモビリティがあった時、下位層からの完全性チェック失敗のインジケーションがあった時、又はＲＲＣ接続再設定失敗時。この手順の目的は、ＲＲＣ接続を再確立することであり、これは、ＳＲＢ１（ＡＳセキュリティがアクティブ化されていないＮＢ−ＩｏＴ  ＵＥについてはＳＲＢ１ｂｉｓ）動作の再開と、セキュリティの再アクティブ化（ＡＳセキュリティがアクティブ化されていないＮＢ−ＩｏＴ  ＵＥを除く）と、ＰＣｅｌｌのみの設定（即ち、ＣＡ又はＤＣ動作は再確立されない）とを伴う。
【００１８】
接続再確立は、関係するセルが準備されている（即ち、有効なＵＥコンテキストを有する）場合にのみ成功する。Ｅ−ＵＴＲＡＮが再確立を受け入れた場合、他の無線ベアラの動作が停止したまま、ＳＲＢ１の動作が再開する。ＡＳセキュリティがアクティブ化されていない場合、ＵＥは手順を開始せず、代わりにＲＲＣ＿ＩＤＬＥに直接遷移する。Ｅ−ＵＴＲＡＮは、以下のように手順を適用する：
- ＡＳセキュリティがアクティブ化されている場合：
- ＳＲＢ１を再設定し、このＲＢについてのみデータ転送を再開する；
- アルゴリズムを変更することなくＡＳセキュリティを再アクティブ化する；
- 制御プレーンＣＩｏＴ  ＥＰＳ最適化のためのＲＲＣ接続再確立をサポートするＮＢ−ＩｏＴ  ＵＥについては、ＡＳセキュリティがアクティブ化されていない場合、ＳＲＢ１ｂｉｓを再確立し、このＲＢのためのデータ転送を継続する。
【００１９】
ＲＲＣＣｏｎｎｅｃｔｉｏｎＲｅｅｓｔａｂｌｉｓｈｍｅｎｔＲｅｑｕｅｓｔメッセージに関連して、ＵＥはＵＥ識別子（ＲｅｅｓｔａｂＵＥ−Ｉｄｅｎｔｉｔｙ）パラメータを含む。これは、接続が失われる前にＵＥに割り当てられたＣ−ＲＮＴＩと、ＵＥが接続していたセルの物理セルＩＤ（ｐｈｙｓＣｅｌｌＩｄ）と、Ｃ−ＲＮＴＩ及びｐｈｙｓＣｅｌｌＩｄに基づいて計算されるｓｈｏｒｔＭＡＣ−Ｉとから構成され、ＵＥの識別及び検証に使用される。ＵＥは、接続が失われたものとは異なるセル／基地局への接続を要求することができ、この場合、ターゲット基地局は、ＵＥが接続されていた基地局（ｐｈｙＣｅｌｌＩｄによって示されるように）に対してＵＥコンテキストを要求する。
【００２０】
ＲＲＣＣｏｎｎｅｃｔｉｏｎＲｅｅｓｔａｂｌｉｓｈｍｅｎｔメッセージの内容には、オプションのＲａｄｉｏＲｅｓｏｕｒｃｅＣｏｎｆｉｇＤｅｄｉｃａｔｅｄ情報要素（ＩＥ）が含まれる。ＲａｄｉｏＲｅｓｏｕｒｃｅＣｏｎｆｉｇＤｅｄｉｃａｔｅｄ  ＩＥの定義には、ｓｒｂ−ＴｏＡｄｄＭｏｄＬｉｓｔ  ＩＥ及びｄｒｂ−ＴｏＡｄｄＭｏｄＬｉｓｔ  ＩＥが条件付きで存在する。Ｓｒｂ−ＴｏＡｄｄＭｏｄＬｉｓｔは、ＨＯ−Ｃｏｎｎ条件を含む。Ｄｒｂ−ＴｏＡｄｄＭｏｄＬｉｓｔは、ＨＯ−ｔｏＥＵＴＲＡ条件を含む。これらの条件は、３６．３３１に次のように定義されている：
2021503207.tif 000003
【００２１】
従って、上記に基づいて、ＳＲＢ１のみがｓｒｂ−ＴｏＡｄｄＭｏｄＬｉｓｔ条件に含まれることができ、ｄｒｂ−ＴｏＡｄｄＭｏｄＬｉｓｔは再確立メッセージに含まれない。
【発明の概要】
【００２２】
本開示で開示される例は、ＲＲＣ接続再確立シグナリング手順中にシグナリング無線ベアラに対して正しいＰＤＣＰバージョン（ＮＲ又はＬＴＥ）を適用することによって、無線ネットワークにおける、レイテンシを低減するための及び／又は通信を改善するための、技法を提供する。他の利点は、当業者には容易に明らかであろう。特定の実施形態は、列挙された利点のいずれも有さないか、いくつかを有するか、又は全てを有し得る。
【００２３】
例示的な実施形態では、ＵＥによって実行される方法は、ネットワークノードを介してネットワーク（ＲＡＮなど）への接続を確立することを含み、ここで、接続は、新無線（ＮＲ）パケットデータコンバージェンスプロトコル（ＰＤＣＰ）設定で構成されたシグナリング無線ベアラ（ＳＲＢ）を用いて、ＵＥとネットワークノードとの間の通信を提供する。この方法は更に、ＵＥがＲＲＣ接続再確立メッセージを受信することを含む。この方法は更に、ＵＥがＲＡＮへの接続を再確立することを含み、ここで、この再確立は、ロングタームエボリューション(ＬＴＥ)ＰＤＣＰ設定をＳＲＢに適用することを含む。
【００２４】
別の例示的な実施形態では、ＲＡＮ内のネットワークノードによって実行される方法は、新無線（ＮＲ）パケットデータコンバージェンスプロトコル（ＰＤＣＰ）設定で構成されたシグナリング無線ベアラ（ＳＲＢ）を介して以前にＲＡＮに接続されていたＵＥに対して、ＲＲＣ接続再確立メッセージを提供することを含む。この方法は更に、ＲＡＮへのＵＥの接続を再確立することを含み、ここで、この再確立は、ＳＲＢのロングタームエボリューション(ＬＴＥ)ＰＤＣＰ設定を適用することを含む。
【００２５】
更に他の例では、システムは、上記の方法を実行するユーザ装置及び／又はネットワークノードを含む。更に、本開示はまた、処理回路によって実行されると、処理回路に上記の方法のいずれかを実行させる、記憶されたコンピュータ命令を備える非一時的なコンピュータ可読媒体も提供する。
【図面の簡単な説明】
【００２６】
開示された実施形態、並びにそれらの特徴及び利点をより完全に理解するために、添付の図面と併せて以下の説明を参照する。
【図１Ａ】図１Ａは、幾つかの例による、ＲＡＮへの接続を再確立するためにユーザ装置によって実行される方法を示すフロー図である。
【図１Ｂ】図１Ｂは、幾つかの例による、ＲＡＮへのＵＥの接続を再確立するためにネットワークノードによって実行される方法を示すフロー図である。
【図１Ｃ】図１Ｃは、ユーザ装置及び１つ又は複数のネットワークノードによって実行される方法を示すシグナリング図である。
【図２】図２は、幾つかの例による、無線ネットワークを示すブロック図である。
【図３】図３は、幾つかの例による、ユーザ装置を示すブロック図である。
【図４】図４は、幾つかの例による、仮想化環境を示すブロック図である。
【図５】図５は、幾つかの例による、中間ネットワークを介してホストコンピュータに接続される遠隔通信ネットワークを示すブロック図である。
【図６】図６は、幾つかの例による、部分的な無線接続上で基地局を介してユーザ装置と通信するホストコンピュータを示すブロック図である。
【発明を実施するための形態】
【００２７】
ＵＥとネットワークノードとの間の接続を再確立するための従来の技術は、遅延及び／又は通信の中断をもたらす欠点を有する。一例として、ＵＥが最初にＮＲ対応の第１の（ソース）基地局に接続されている場合、ＳＲＢ１は、ＮＲ  ＰＤＣＰを使用して動作するように構成され得る。その後、ＵＥがネットワークからサスペンドされ、ＮＲをサポートしない第２の（ターゲット）基地局（例えば、レガシーＬＴＥ基地局）を介してネットワークへの接続を再確立する場合、問題が生じ得る。これらの問題を説明するために、表１（以下）は、第１及び第２の基地局においてＳＲＢ１のために使用されるＰＤＣＰ設定に関して考慮すべき異なるシナリオを示す。
2021503207.tif 000004
表１：ＳＲＢ１のＰＤＣＰバージョン使用法とNR PDCPのサポートに関する異なるケース
【００２８】
第１の基地局がＮＲをサポートしないレガシー基地局である上記に示された例では、ＳＲＢ１が（ＮＲ  ＰＤＣＰではなく）ＬＴＥ  ＰＤＣＰを使用するように構成される。従って、ＮＲ基地局は一般にＬＴＥ  ＰＤＣＰと後方互換性があるので、第２の基地局がレガシー基地局であるかＮＲ基地局であるかにかかわらず、第１の基地局との接続から第２の基地局との接続へのＵＥの移行において、ＲＲＣ接続再確立手順を成功裏に完了することができる。同様に、第１の基地局がＮＲをサポートするが、ＬＴＥ  ＰＤＣＰを使用するようにＳＲＢ１を構成している場合、ＵＥは、第２の基地局がレガシー基地局であるかＮＲ対応基地局であるかにかかわらず、第２の基地局に切り替わるときに、ＳＲＢ１のＬＴＥ  ＰＤＣＰ設定を使用し続けることができる。
【００２９】
しかしながら、第１の基地局がＮＲに対応しており、ＮＲ  ＰＤＣＰを使用するようにＳＲＢ１を設定している場合、ＵＥを２番目の基地局に移行するときに問題が発生する。例えば、第２の基地局がレガシー基地局の場合、レガシー基地局はそのプロトコル（ＮＲ  ＰＤＣＰ）を使用して動作するように設定されていないため、ＵＥはＮＲ  ＰＤＣＰで設定されたＳＲＢ１を介してＲＲＣ通信を再確立することができない。例えば、第２の基地局は、ＲＲＣＣｏｎｎｅｃｔｉｏｎＲｅｅｓｔａｂｌｉｓｈｍｅｎｔＣｏｍｐｌｅｔｅメッセージを処理することさえできない。
【００３０】
第１及び第２の基地局の両方がＮＲ基地局である場合、ＵＥは、第２の基地局とＮＲ  ＰＤＣＰを用いてＳＲＢ１を再確立することができる。しかしながら、従来のシグナリング規格の下では、ＵＥは、第２の基地局がＮＲ  ＰＤＣＰをサポートするかどうかに関して通知されない。
【００３１】
本開示は、上記で示されたもののような、接続再確立中のＰＤＣＰ設定問題に対処する技法を提供する。幾つかの実施形態では、基地局からＲＲＣＣｏｎｎｅｃｔｉｏｎＲｅｅｓｔａｂｌｉｓｈｍｅｎｔメッセージを受信すると、ＵＥは以下のステップを実行することができる：
１）ＳＲＢ１のＰＤＣＰを再確立する；
２）ＳＲＢ１のＲＬＣを再確立する；
３）受信したｒａｄｉｏＲｅｓｏｕｒｃｅＣｏｎｆｉｇＤｅｄｉｃａｔｅｄに従って無線リソース構成手順を実行する；
４）ＳＲＢ１を再開する；
５）ＲＲＣＣｏｎｎｅｃｔｉｏｎＲｅｅｓｔａｂｌｉｓｈｍｅｎｔメッセージに示されるｎｅｘｔＨｏｐＣｈａｉｎｉｎｇＣｏｕｎｔ値を使用して、現在のＫｅＮＢが関連付けられているＫＡＳＭＥキー（現在のＵＥ接続／セッションのマスタセキュリティキー；他のキーの導出に使用される）に基づいてＫｅＮＢキーを更新する；
６）以前に設定された完全性アルゴリズムに関連付けられたＫＲＲＣｉｎｔキー（ＲＲＣメッセージの完全性を保護するためのセキュリティキー）を導出する；
７）以前に設定された暗号化アルゴリズムに関連付けられたＫＲＲＣｅｎｃキー（ＲＲＣメッセージを暗号化／復号するためのセキュリティキー）及びＫＵＰｅｎｃキー（ユーザプレーンメッセージを暗号化／復号するためのセキュリティキー）を導出する；
8)以前に設定されたアルゴリズム及びＫＲＲＣｉｎｔキーを使用して即座に完全性保護をアクティベートするように下位層を設定する（即ち、完全性保護は、手順の成功した完了を示すために使用されるメッセージも含めて、ＵＥにより送受信される以降の全てのメッセージに対して適用されることになる）；
９）以前に設定されたアルゴリズム、ＫＲＲＣｅｎｃキー、及びＫＵＰｅｎｃキーを使用して即座に暗号化を適用するように下位層を設定する（即ち、暗号化は、手順の成功した完了を示すために使用されるメッセージも含めて、ＵＥにより送受信される以降の全てのメッセージに対して適用されることになる）；
１０）ＲＲＣＣｏｎｎｅｃｔｉｏｎＲｅｅｓｔａｂｌｉｓｈｍｅｎｔＣｏｍｐｌｅｔｅメッセージを構築し、送信のために下位層へサブミットする。
【００３２】
ターゲット基地局は、ＲＲＣＣｏｎｎｅｃｔｉｏｎＲｅｅｓｔａｂｌｉｓｈｍｅｎｔＣｏｍｐｌｅｔｅメッセージを受信すると、ＳＲＢ２及びデータ無線ベアラ（ＤＲＢ）を再設定するＲＲＣＣｏｎｎｅｃｔｉｏｎＲｅｃｏｎｆｉｇｕｒａｔｉｏｎを送信する。
【００３３】
以下の例示的な技法は、かくして第１の基地局及び第２の基地局におけるＳＲＢ１のためのＮＲ  ＰＤＣＰの使用とＬＴＥ  ＰＤＣＰの使用との間の不一致に対処するために、上記のステップのうちの１つ又は複数と組み合わせて、ＳＲＢ１のためのＰＤＣＰの再確立（上記のステップ１に示される）に関連して実行され得る。これらの実施形態は、相互に排他的ではなく、適宜、組み合わされ、及び／又は修正されてもよい。更に、これらの技法は第１及び第２の基地局に関して説明されているが、同じ基地局への再接続（即ち、ソース基地局とターゲット基地局とが同じである）に関して同様の問題が発生する可能性がある。
【００３４】
実施形態１（ＵＥ）：ターゲット基地局を介したネットワークへの接続の再確立時に、ＵＥは、（デフォルトで）ＳＲＢ１のためのＬＴＥ  ＰＤＣＰ設定に戻る。この技法は、ソース基地局がＮＲをサポートし、ＳＲＢ１がＮＲ  ＰＤＣＰ設定を用いて以前に設定されていたユースケースに対処する。
【００３５】
実施形態２（ネットワークノード）：ソース基地局が修正されたＵＥ  ＡＳコンテキストをターゲット基地局に渡すことにより、ＵＥコンテキストは、レガシーのターゲット基地局によって理解可能になる（即ち、ＳＲＢ１のＮＲ  ＰＤＣＰ設定も、ＮＲ  ＰＤＣＰを使用する他の如何なる無線ベアラも含まない）。この技法は、ソース基地局がＮＲをサポートし、ＳＲＢ１がＮＲ  ＰＤＣＰ設定を用いて以前に設定されていたユースケースに対処する。
【００３６】
実施形態２ｂ（ネットワークノード）：実施形態２に係る実施形態であって、ソース基地局は、ターゲットがＮＲをサポートしないレガシー基地局であると判定した場合にのみ、修正されたＵＥ  ＡＳコンテキストをターゲットに渡す。欠点は、ターゲットがＮＲ  ＰＤＣＰをサポートすることができる場合に、ＳＲＢ１がＬＴＥ  ＰＤＣＰを使用する羽目になることである。
【００３７】
実施形態３（ＵＥ）：再確立時に、ＵＥは、再確立前に使用された、ＬＴＥ又はＮＲであるＳＲＢ１のＰＤＣＰバージョンを使用する。ターゲットがＮＲ  ＰＤＣＰをサポートすることができる場合、ＳＲＢ１はＮＲ  ＰＤＣＰで再開される。
【００３８】
実施形態４（ネットワークノード）：ソース基地局は、ターゲット基地局がＮＲをサポートしていないレガシー基地局であると判断した場合、ＵＥ  ＡＳコンテキスト情報をターゲットに渡すことを差し控える。
【００３９】
実施形態５（ネットワークノード）：ターゲット基地局がソース基地局からＵＥ  ＡＳコンテキストを取得しない場合、又はターゲット基地局がソース基地局から渡されたコンテキストを理解しない場合（例えば、ＳＲＢ１又は他の何らかの無線ベアラのためのＮＲ  ＰＤＣＰ設定の使用に起因して）、ターゲット基地局はＮＡＳ復旧を開始する（即ち、ターゲット基地局がＵＥにＲＲＣＣｏｎｎｅｃｔｉｏｎＳｅｔｕｐメッセージを送信するすると、これはＵＥがＮＡＳメッセージ（例えば、ＮＡＳサービスリクエスト、ＮＡＳトラッキングエリア更新）を送信することをトリガし、ＣＮがＮＡＳメッセージを受信すると、それはターゲット基地局において新しいＵＥ  Ｓ１コンテキストを作成し、これにより、ターゲット基地局はＵＥのＳ１コンテキストを利用して全てのベアラの完全な再設定を実行できるようになる）。
【００４０】
実施形態６（ネットワークノード）：ＵＥは、ＳＲＢ１にＬＴＥ又はＮＲ  ＰＤＣＰのいずれかを使用するように、ＲＲＣＣｏｎｎｅｃｔｉｏｎＲｅｅｓｔａｂｌｉｓｈｍｅｎｔメッセージを介して、暗黙的又は明示的に設定される。ＲＲＣＣｏｎｎｅｃｔｉｏｎＲｅｅｓｔａｂｌｉｓｈｍｅｎｔメッセージには、どのＰＤＣＰバージョンをＳＲＢ１に使用するかをＵＥに知らせるフラグが含まれる。レガシー基地局は、レガシーＲＲＣＣｏｎｎｅｃｔｉｏｎＲｅｅｓｔａｂｌｉｓｈｍｅｎｔメッセージを使用する（即ち、どのＰＤＣＰバージョンを使用すべきかを示すフラグがない）。
【００４１】
実施形態７（ＵＥ）：ＵＥがＰＤＣＰバージョンフラグを持たないＲＲＣＣｏｎｎｅｃｔｉｏｎＲｅｅｓｔａｂｌｉｓｈｍｅｎｔメッセージを受信した場合（即ち、ターゲット基地局がＮＲ  ＰＤＣＰをサポートせず、レガシーＲＲＣＣｏｎｎｅｃｔｉｏｎＲｅｅｓｔａｂｌｉｓｈｍｅｎｔメッセージを使用する場合）、又はフラグがＬＴＥ  ＰＤＣＰを示す場合（即ち、ターゲット基地局がＮＲ  ＰＤＣＰをサポートしているが、何らかの理由でＳＲＢ１にＮＲ  ＰＤＣＰを設定することを望まない場合）、ＵＥはＳＲＢ１にＬＴＥ  ＰＤＣＰを使用することに頼る。
【００４２】
実施形態８（ＵＥ）：ＵＥが、ＳＲＢ１のＮＲ  ＰＤＣＰバージョンを示すフラグを持つＲＲＲＣＣｏｎｎｅｃｔｉｏｎＲｅｅｓｔａｂｌｉｓｈｍｅｎｔメッセージを受信した場合、ＵＥはＮＲ  ＰＤＣＰを使用してＳＲＢ１を再確立する。再確立が開始される前にＳＲＢ１がNR PDCPで設定されていた場合、ＵＥは単にそのＰＤＣＰ設定を再利用／復元する。
【００４３】
実施形態９（ネットワークノード）：実施形態６に係る実施形態であって、ターゲット基地局は、ＲＲＣＣｏｎｎｅｃｔｉｏｎＲｅｅｓｔａｂｌｉｓｈｍｅｎｔメッセージ内のＰＤＣＰバージョンフラグに加えて、又はその代わりに、ＮＲ  ＰＤＣＰ設定も提供する。
【００４４】
実施形態１０（ＵＥ）：実施形態９に係る実施形態であって、ＵＥはＳＲＢ１のためのＮＲ  ＰＤＣＰ設定を含むＲＲＣＣｏｎｎｅｃｔｉｏｎＲｅｅｓｔａｂｌｉｓｈｍｅｎｔメッセージを受信し、ＵＥは含まれるＮＲ  ＰＤＣＰ設定を使用して、ＮＲ  ＰＤＣＰを用いてＳＲＢ１を再確立する。
【００４５】
実施形態１１（ネットワークノード）：先の実施形態に係る実施形態であって、ターゲット基地局が、ＲＲＣＣｏｎｎｅｃｔｉｏｎＲｅｅｓｔａｂｌｉｓｈｍｅｎｔメッセージ内のＳＲＢ２及び／又はデータ無線ベアラ（ＤＲＢ）のためのＮＲ  ＰＤＣＰ設定（又は／及び指示）も提供する、。ＮＲ  ＰＤＣＰ設定は、関係するベアラ（ＳＲＢ２又はＤＲＢ）のための、ＮＲ  ＰＤＣＰを使用するべきであることを示す明示的なフラグ、及び／又は、ＮＲ  ＰＤＣＰプロトコルの詳細な設定であってもよい。
【００４６】
実施形態１２（ＵＥ）：先の実施形態のいずれかに係る実施形態であって、ＵＥは、ＳＲＢ１のためのＮＲ  ＰＤＣＰ設定を含むＲＲＣＣｏｎｎｅｃｔｉｏｎＲｅｅｓｔａｂｌｉｓｈｍｅｎｔメッセージを受信し、ＵＥは、含まれるＮＲ  ＰＤＣＰ設定を使用して、ＮＲ  ＰＤＣＰで、ＳＲＢ１と共にオプションとしてＳＲＢ２及びデータ無線ベアラ（ＤＲＢ）を再確立する。ＮＲ  ＰＤＣＰ設定は、ＮＲ  ＰＤＣＰを使用するべきであることを示す明示的なフラグ、及び／又は、ＮＲ  ＰＤＣＰプロトコルの詳細な設定であってもよい。
【００４７】
実施形態１３（ＵＥ）：ＵＥが前述の実施形態のいずれかに起因してＰＤＣＰバージョンをＮＲからＬＴＥに変更している場合、ＵＥは、オプションとして、暗号化及び完全性保護のためのＮＲセキュリティアルゴリズムから事前定義されたＬＴＥアルゴリズムへのマッピングも実行する。同様のマッピングは、ＬＴＥ  ＰＤＣＰからＮＲ  ＰＤＣＰに変更するときにも実行することができる（ＬＴＥアルゴリズムからＮＲアルゴリズムへのマッピング）。マッピングは、同様のプロパティを有するＮＲ及びＬＴＥアルゴリズムに対して１対１であり得る。新しいＮＲ専用アルゴリズムについては、事前定義された（又はデフォルトの)ＬＴＥアルゴリズムにマッピングすることが可能である。事前定義された（又はデフォルトの)ＬＴＥアルゴリズムは、（例えば、ＮＲに接続されたときに、ＮＡＳ又はＲＲＣシグナリングを使用して）ＵＥにシグナリングされ得るか、又は、３ＧＰＰ仕様において「ハードコード」され得る。
【００４８】
実施形態１４（ネットワークノード）：ＵＥが前述の実施形態のいずれかに起因してＰＤＣＰバージョンをＮＲからＬＴＥに変更している場合、ネットワーク（例えば、ターゲット又はソース基地局）は、オプションとして、暗号化及び完全性保護のためのＮＲセキュリティアルゴリズムから事前定義されたＬＴＥアルゴリズムへのマッピングを実行することができる。同様のマッピングは、ＬＴＥ  ＰＤＣＰからＮＲ  ＰＤＣＰに変更するときにも実行することができる（ＬＴＥアルゴリズムからＮＲアルゴリズムへのマッピング）。マッピングは、同様のプロパティを有するＮＲ及びＬＴＥアルゴリズムに対して１対１であり得る。新しいＮＲ専用アルゴリズムについては、事前定義された（又はデフォルトの)ＬＴＥアルゴリズムにマッピングすることが可能である。事前定義された（又はデフォルトの)ＬＴＥアルゴリズムは、ネットワークにおいて設定されて（例えば、ＮＲに接続されたときに、ＮＡＳ又はＲＲＣシグナリングを使用して）ＵＥにシグナリングされ得るか、又は、３ｇｐｐ仕様において「ハードコード」され得る。
【００４９】
特定の実施形態は、以下の技術的利点のうちの１以上を提供し得る。本明細書で説明する特定の実施形態によれば、ターゲット基地局がＮＲ  ＰＤＣＰをサポートする場合、ＳＲＢ１のＮＲ  ＰＤＣＰ設定で接続を再確立することができる。これらの実施形態なしでは、再確立時にＳＲＢ１のためのＮＲ  ＰＤＣＰを採用することは不可能である。特定の実施形態は、これらの技術的利点の全て、幾つか、又は無しを提供することができ、追加の技術的利点は以下の説明から容易に明らかになり得る。
【００５０】
図１Ａは、幾つかの例による、ＲＡＮへの接続を再確立するためにユーザ装置によって実行される方法を示すフロー図である。ある例では、ユーザ装置は無線デバイスである。この方法は、図１Ｂに関して説明される方法のような、ネットワークノードによって実行される方法と組み合わせて実行することができる。更に、この方法は、図２〜図６に関して説明されるように、ユーザ装置によって、又はユーザ装置を含むシステムにおいて、実施され得る。
【００５１】
ステップ１０２で、ユーザ装置は、ネットワークノードを介してＲＡＮへの接続を確立し、ここで、接続は、新無線（ＮＲ）パケットデータコンバージェンスプロトコル（ＰＤＣＰ）設定で構成されたシグナリング無線ベアラ（ＳＲＢ）を使用して、ＵＥとネットワークノードとの間の通信を提供する。幾つかの例では、ＳＲＢがシグナリング無線ベアラ１（ＳＲＢ１）を含む。その後、ユーザ装置がネットワークから切断されるように、ユーザ装置の接続を中断することができる。
【００５２】
ステップ１０４において、ユーザ装置は、ネットワークノードからＲＲＣ接続再確立メッセージを受信する。幾つかの例では、ＵＥはまた、ネットワークノードから、事前定義されたＬＴＥアルゴリズム及び／又はＮＲ完全性保護アルゴリズムを受信することを受信する。
【００５３】
ステップ１０６において、ユーザ装置はＲＡＮへの接続を再確立し、ここで、この再確立は、ロングタームエボリューション(ＬＴＥ)ＰＤＣＰ設定をＳＲＢに適用することを含む。幾つかの例では、ＵＥはまた、受信されたＮＲ暗号化アルゴリズム及び／又はＮＲ完全性保護アルゴリズムを、事前定義されたＬＴＥアルゴリズムにマッピングする。従って、ＵＥはまた、ＳＲＢ上でネットワークノードからメッセージを受信し、ＳＲＢのＬＴＥ  ＰＤＣＰ設定及びセキュリティ設定（マッピングされた事前定義されたＬＴＥアルゴリズムなど）を使用してメッセージを復号することもできる。これらのメッセージは例えば、ＵＥにおいてネットワークノードから受信されるＲＲＣＲｅｅｓｔａｂｌｉｓｈｍｅｎｔコマンドを含むことができ、これをＵＥがＬＴＥ  ＰＤＣＰ及びセキュリティ設定を使用して復号する。
【００５４】
上記の例では、ステップ１０２、１０４、及び１０６において、同じネットワークノードがＵＥと相互作用する。しかしながら、他の例では、この方法が複数のネットワークノードと相互作用するＵＥによって実行されてもよい。上記例のこのマルチノードバリエーションでは、ＵＥはステップ１０２において、第１のネットワークノードを介して接続を確立する。ステップ１０４において、第１のネットワークノードとの接続が中断された後、ＵＥは、第１のネットワークノードとは異なる第２のネットワークノードから接続再確立メッセージを受信する。ステップ１０６において、ＵＥは、第２のネットワークノードを介して、ＲＡＮへの接続を再確立する。
【００５５】
ＵＥのＲＡＮへの接続の再確立に続いて、ＵＥは、ＳＲＢのＬＴＥ  ＰＤＣＰ設定を使用してネットワークノード（又は第２のネットワークノード）にメッセージを送信できる。
【００５６】
図１Ｂは、幾つかの例による、ＲＡＮへのＵＥの接続を再確立するためにネットワークノードによって実行される方法を示すフロー図である。幾つかの例では、ネットワークノードは、ｅＮＢ又はｇＮＢのような基地局である。この方法は、図１Ａに関して説明される方法のような、ユーザ装置によって実行される方法と組み合わせて実行することができる。更に、この方法は、図２〜図６に関して説明されるように、ネットワークノード装置によって、又はネットワークノードを含むシステムにおいて、実施され得る。
【００５７】
ステップ１０３において、ＲＡＮ内のネットワークノードは、新無線（ＮＲ）パケットデータコンバージェンスプロトコル（ＰＤＣＰ）設定で構成されたシグナリング無線ベアラ（ＳＲＢ）を介して以前ＲＡＮに接続されていたＵＥに対して、ＲＲＣ接続再確立メッセージを提供する。幾つかの例では、ステップ１０３は、ステップ１０２がユーザ装置によって実行された後に実行される。幾つかの例では、ＵＥは以前にネットワークノードを介してＲＡＮに接続されていたが、他の例では、ＵＥは以前にネットワークノードとは異なる第２のネットワークノードを介してＲＡＮに接続されていた。
【００５８】
ステップ１０５において、ネットワークノードはＲＡＮへのＵＥの接続を再確立し、ここで、この再確立は、ＳＲＢのロングタームエボリューション(ＬＴＥ)ＰＤＣＰ設定を適用することを含む。幾つかの例では、ステップ１０５は、ステップ１０４がユーザ装置によって実行された後に実行される。
【００５９】
ＵＥが以前に第２のネットワークノードを介してＲＡＮに接続されていた例では、第２のネットワークノードが、ネットワークノードがＮＲ  ＰＤＣＰ設定をサポートしていないと判断する場合がある。従って、ネットワークノードは第２のネットワークノードから、ＵＥに対応する修正されたアクセスストラタム（ＡＳ）コンテキストを受信する場合があり、ここで、修正されたＡＳコンテキストは、ＮＲ  ＰＤＣＰ設定からＬＴＥ  ＰＤＣＰ設定へ変更するインジケーションを含む。
【００６０】
図１Ｃは、ユーザ装置及び１つ又は複数のネットワークノードによって実行される方法を示すシグナリング図である。幾つかの例では、ネットワークノード（単数又は複数）は、ｅＮＢ及び／又はｇＮＢのような１以上の基地局を含む。シグナリング図に示されるシーケンスは、図２〜図６に関して説明されるように、ユーザ装置、ネットワークノード、及び／又は、ユーザ装置及びネットワークノードを含むシステムによって実施され得る。
【００６１】
ステップ１０８で、ＵＥ及びネットワークノードは、ネットワーク（ＲＡＮネットワークなど）への接続を確立し、ＮＲ  ＰＤＣＰ設定で構成されたＳＲＢを使用して通信を提供する。
【００６２】
ステップ１１０で、ＵＥのネットワークへの接続が中断される。ステップ１１２で、ネットワークノード又は第２のネットワークノードは、ＲＲＣ接続再確立メッセージをＵＥに提供する。
【００６３】
ステップ１１４において、ＵＥは、ＬＴＥ  ＰＤＣＰ設定をＳＲＢに適用する。この例では、ＬＴＥ  ＰＤＣＰ設定は、ＲＲＣ接続の再確立手順中にネットワークノードと相互作用するときにＵＥが適用するデフォルト設定である。従って、ステップ１１６において、ＳＲＢのためにＬＴＥ  ＰＤＣＰ設定を使用して、ＵＥからネットワークへの接続が確立される。
【００６４】
幾つかの例では、ステップ１１８において、ネットワークノードは、ＵＥがネットワーク通信のために使用することができる、予め定義されたＬＴＥアルゴリズムをＵＥに提供する。この例では、ステップ１２０において、ＵＥは、ＮＲ暗号化アルゴリズム及び／又は完全性保護アルゴリズムを、受信された事前定義されたＬＴＥアルゴリズムにマッピングする。幾つかの例では、ＵＥは、ＮＲ暗号化アルゴリズム及び／又は完全性保護アルゴリズムを用いて予め設定されている。従って、ＵＥは、ネットワークノードからＳＲＢ上で受信されるメッセージを復号するために、ＳＲＢの予め定義されたＬＴＥアルゴリズム及びＬＴＥ  ＰＤＣＰ設定を使用することができる。
【００６５】
ＵＥのネットワークとの接続が第２のネットワークノードを経由する場合、ステップ１２２において、ネットワークノードは、第２のネットワークがＮＲ  ＰＤＣＰ設定をサポートしていないと判断するかもしれない。従って、第２のネットワークノードがＮＲ  ＰＤＣＰ設定をサポートしない場合、ステップ１２４において、ネットワークノードは、ＮＲ  ＰＤＣＰ設定からＬＴＥ  ＰＤＣＰ設定へ変更することを示す修正されたアクセスストラタム（ＡＳ）コンテキストを第２のノードに提供する。従って、第２のネットワークノードは、それがＵＥと通信することができるように、ＮＲ  ＰＤＣＰ設定へ変更することを通知される。ステップ１１６において第２のネットワークノードではなくネットワークノードを介してネットワークへの接続が再確立される場合、ステップ１２２及び１２４はスキップされ得る。
【００６６】
ステップ１２６で、ＵＥは、ＳＲＢ上のＬＴＥ  ＰＤＣＰ設定を使用して、ネットワークノード又は第２のネットワークノードを介して、ＲＡＮネットワークにメッセージを送信する。
【００６７】
図２は、幾つかの例による、無線ネットワークを示すブロック図である。本明細書で説明される主題は任意の適切なコンポーネントを使用して任意の適切なタイプのシステムにおいて実装され得るが、本明細書で開示される実施形態は、図２に示される例示的な無線ネットワークのような無線ネットワークに関連して説明される。簡潔にするために、図２の無線ネットワークは、ネットワーク２０６、ネットワークノード２６０及び２６０ｂ、並びに無線デバイス２１０、２１０ｂ、及び２１０ｃを示す。実際には、無線ネットワークは、無線デバイス間又は無線デバイスと他の通信デバイス（例えば、固定電話、サービスプロバイダ、又は他の任意のネットワークノード又はエンドデバイス）との間の通信をサポートするのに適した任意の追加要素を更に含むことができる。図示されたコンポーネントのうち、ネットワークノード２６０及び無線デバイス２１０は、更なる詳細を伴って示されている。無線ネットワークは、無線ネットワークにより又はこれを介して提供されるサービスへの無線デバイスのアクセス及び／又は使用を促進にするために、１以上の無線デバイスに対して通信及び他のタイプのサービスを提供してもよい。
【００６８】
無線ネットワークは、任意のタイプの通信、遠隔通信、データ、セルラー、及び／又は無線ネットワーク、又は他の同様のタイプのシステムを、含んでいてもよく、及び／又はこれに対してインタフェースしてもよい。幾つかの実施形態では、無線ネットワークは、特定の標準又は他のタイプの事前定義されたルール若しくは手順に従って動作するように構成することができる。従って、無線ネットワークの特定の実施形態は、ＧＳＭ(Global System for Mobile Communications)、ＵＭＴＳ(Universal Mobile Telecommunications System)、ロングタームエボリューション（ＬＴＥ）、及び／又は他の適切な２Ｇ、３Ｇ、４Ｇ、又は５Ｇ標準規格などの通信標準規格、ＩＥＥＥ ８０２．１１標準規格などの無線ローカルエリアネットワーク（ＷＬＡＮ）標準規格、及び／又は、ＷｉＭａｘ(Worldwide Interoperability for Microwave Access)、Ｂｌｕｅｔｏｏｔｈ、Ｚ−Ｗａｖｅ、及び／又はＺｉｇＢｅｅ標準規格などの任意の他の適切な無線通信標準規格を、実装することができる。
【００６９】
ネットワーク２０６は、１以上のバックホールネットワーク、コアネットワーク、ＩＰネットワーク、公衆交換電話ネットワーク（ＰＳＴＮ）、パケットデータネットワーク、光ネットワーク、ワイドエリアネットワーク（ＷＡＮ）、ローカルエリアネットワーク（ＬＡＮ）、無線ローカルエリアネットワーク（ＷＬＡＮ）、有線ネットワーク、無線ネットワーク、メトロポリタンエリアネットワーク、及びデバイス間の通信を可能にする他のネットワークを含むことができる。
【００７０】
ネットワークノード２６０及び無線デバイス２１０は、以下でより詳細に説明される様々なコンポーネントを備える。これらのコンポーネントは、無線ネットワークで無線接続を提供するなど、ネットワークノード及び／又は無線デバイスの機能を提供するために連携する。異なる実施形態では、無線ネットワークは、任意の数の有線又は無線ネットワーク、ネットワークノード、基地局、コントローラ、無線デバイス、中継局、及び／又は、有線又は無線接続いずれを介するかにかかわらずデータ及び／又は信号の通信を促進にするか又はこれに参加することができる任意の他のコンポーネント又はシステムを備えることができる。
【００７１】
本明細書で使用されるように、ネットワークノードは、無線デバイス及び／又は無線ネットワーク内の他のネットワークノード又は装置と直接的又は間接的に通信することが可能な、通信するように設定される、通信するように構成される、及び／又は通信するように動作可能な、無線デバイスへの無線アクセスを可能にし及び／又は提供し、及び／又は無線ネットワーク内の他の機能（例えば、管理）を実行する、装置を指す。ネットワークノードの例には、アクセスポイント（ＡＰ）（例えば、無線アクセスポイント）、基地局（ＢＳ）（例えば、無線基地局、ノードＢ、次世代ノードＢ（ｇＮＢ）、及びエボルブドノードＢ（ｅＮＢ））が含まれるが、これらに限定されない。基地局は、それらが提供するカバレージの量（又は別の言い方をすれば、それらの送信電力レベル）に基づいて分類可能であり、そして、フェムト基地局、ピコ基地局、マイクロ基地局、又はマクロ基地局とも呼ばれ得る。基地局は、中継を制御する中継ノード又は中継ドナーノードであってもよい。ネットワークノードは、集中型デジタルユニット及び／又は遠隔無線ユニット（ＲＲＵ）（遠隔無線ヘッド（ＲＲＨ）と呼ばれることもある）などの分散無線基地局の１つ又は複数の（又は全ての）部分を含むこともできる。このような遠隔無線ユニットは、アンテナ一体型無線機としてアンテナと一体化される場合とされない場合がある。分散無線基地局の一部は、分散アンテナシステム（ＤＡＳ）におけるノードと呼ばれることもある。ネットワークノードの更に別の例は、ＭＳＲ  ＢＳなどのマルチスタンダード無線（ＭＳＲ）装置、無線ネットワークコントローラ（ＲＮＣ）又は基地局コントローラ（ＢＳＣ）などのネットワークコントローラ、基地トランシーバ局（ＢＴＳ）、伝送ポイント、伝送ノード、マルチセル／マルチキャスト協調エンティティ（ＭＣＥ）、コアネットワークノード（例えば、ＭＳＣ、ＭＭＥ）、Ｏ＆Ｍノード、ＯＳＳノード、ＳＯＮノード、測位ノード（例えば、Ｅ−ＳＭＬＣ）、及び／又はＭＤＴを含む。別の例として、ネットワークノードは、以下で更に詳細に説明するように、仮想ネットワークノードであってもよい。しかしながら、より一般的には、ネットワークノードは、無線ネットワークへのアクセスを無線デバイスに可能にし及び／又は提供し、又は無線ネットワークにアクセスした無線デバイスに何らかのサービスを提供するように、可能とされ、設定され、構成され、及び／又は動作可能な、任意の適切なデバイス（又はデバイスのグループ）を表してもよい。
【００７２】
図２において、ネットワークノード２６０は、処理回路２７０、デバイス可読媒体２８０、インタフェース２９０、補助装置２８４、電源２８６、電力回路２８７、及びアンテナ２６２を含む。図２の例示的な無線ネットワークに示されたネットワークノード２６０はハードウェアコンポーネントの図示された組合せを含むデバイスを表すことができるが、他の実施形態はコンポーネントの異なる組合せを有するネットワークノードを備えることができる。ネットワークノードは、本明細書で開示されるタスク、特徴、機能、及び方法を実行するために必要とされるハードウェア及び／又はソフトウェアの任意の適切な組合せを備えることを理解されたい。更に、ネットワークノード２６０のコンポーネントはより大きなボックス内に配置された単一のボックスとして、又は複数のボックス内にネストされて描かれているが、実際には、ネットワークノードは、単一の図示されたコンポーネントを構成する複数の異なる物理コンポーネントを含むことができる（例えば、デバイス可読媒体２８０は、複数のＲＡＭモジュールと共に複数の個別のハードドライブを含むことができる）。
【００７３】
同様に、ネットワークノード２６０は、複数の物理的に別個のコンポーネント（例えば、ノードＢコンポーネント及びＲＮＣコンポーネント、又はＢＴＳコンポーネント及びＢＳＣコンポーネントなど）から構成されてもよく、それらはそれぞれ、それら自体の別個のコンポーネントを有する可能性がある。ネットワークノード２６０が複数の分離したコンポーネント（例えば、ＢＴＳ及びＢＳＣコンポーネント）を含む特定のシナリオでは、１以上の分離したコンポーネントを複数のネットワークノード間で共有することができる。例えば、単一のＲＮＣは、複数のノードＢを制御することができる。このようなシナリオでは、それぞれの固有のＮｏｄｅＢ及びＲＮＣのペアが、場合によっては単一の個別のネットワークノードと見なされることがある。幾つかの実施形態において、ネットワークノード２６０は、複数の無線アクセス技術（ＲＡＴ）をサポートするように構成することができる。そのような実施形態では、幾つかのコンポーネントが複製されてもよく（例えば、異なるＲＡＴのための別個のデバイス可読媒体２８０）、幾つかのコンポーネントは再利用されてもよい（例えば、同じアンテナ２６２がＲＡＴによって共有されてもよい）。ネットワークノード２６０はまた、例えばＧＳＭ、ＷＣＤＭＡ、ＬＴＥ、ＮＲ、ＷｉＦｉ、又はＢｌｕｅｔｏｏｔｈ無線技術のような、ネットワークノード２６０に統合された異なる無線技術のための、種々の示されたコンポーネントの複数のセットを含むことができる。これらの無線技術は、ネットワークノード２６０内の同じ又は異なるチップ又はチップのセット、及び他のコンポーネントに統合することができる。
【００７４】
処理回路２７０は、ネットワークノードによって提供されるものとして本明細書で説明される、任意の判定、計算、又は類似の動作（例えば、特定の取得動作）を実行するように構成される。処理回路２７０によって実行されるこれらの動作は例えば、取得された情報を他の情報に変換すること、取得された情報又は変換された情報をネットワークノードに格納された情報と比較すること、及び／又は取得された情報又は変換された情報に基づいて１つ又は複数の動作を実行することによって、処理回路２７０によって取得された情報を処理すること、並びに、及び前記処理の結果として判定を行うことを含み得る。
【００７５】
処理回路２７０は、マイクロプロセッサ、コントローラ、マイクロコントローラ、中央処理装置、デジタル信号プロセッサ、特定用途向け集積回路、フィールドプログラマブルゲートアレイ、又は任意の他の適切なコンピューティングデバイス、リソース、又は、ハードウェア、ソフトウェア、及び／又は符号化ロジックの組合せのうちの１つ又は複数の組合せを備えることができ、これらは、単独で、又はデバイス可読媒体２８０などの他のネットワークノード２６０のコンポーネントと共に、ネットワークノード２６０の機能を提供するように動作可能である。例えば、処理回路２７０は、デバイス可読媒体２８０又は処理回路２７０内のメモリに記憶された命令を実行することができる。そのような機能は、本明細書で説明される様々な無線特徴、機能、又は利益のいずれかを提供することを含むことができる。幾つかの実施形態において、処理回路２７０は、システムオンチップ（ＳＯＣ）を含むことができる。
【００７６】
幾つかの実施形態では、処理回路２７０は、無線周波数（ＲＦ）トランシーバ回路２７２及びベースバンド処理回路２７４のうちの１つ又は複数を含んでもよい。幾つかの実施形態では、無線周波数トランシーバ（ＲＦ）回路２７２及びベースバンド処理回路２７４は、別個のチップ（又はチップのセット）、ボード、又はユニット（無線ユニット及びデジタルユニットなど）の上にあってもよい。代替実施形態では、ＲＦトランシーバ回路２７２及びベースバンド処理回路２７４の一部又は全部が、同じチップ又はチップのセット、ボード、又はユニットの上にあってもよい。
【００７７】
幾つかの実施形態では、ネットワークノード、基地局、ｅＮＢ、ｇＮＢ、又は他のそのようなネットワークデバイスによって提供されるものとして本明細書で説明される機能の幾つか又は全ては、デバイス可読媒体２８０又は処理回路２７０内のメモリ上に格納された命令を実行する処理回路２７０によって実行され得る。代替実施形態では、機能の幾つか又は全ては、別個の又は個別のデバイス可読媒体上に格納された命令を実行することなく、ハードワイヤード方式などで、処理回路２７０によって提供され得る。これらの実施形態のいずれにおいても、デバイス可読記憶媒体上に記憶された命令を実行するか否かにかかわらず、処理回路２７０は、説明された機能を実行するように構成され得る。そのような機能によって提供される利点は、処理回路２７０単独又はネットワークノード２６０の他のコンポーネントに限定されず、一般的に、ネットワークノード２６０全体によって、及び／又はエンドユーザ及び無線ネットワークによって享受される。
【００７８】
デバイス可読媒体２８０は、任意の形態の揮発性又は不揮発性のコンピュータ可読メモリを含むことができ、これには、限定されるものではないが、永続ストレージ、固体メモリ、遠隔装着メモリ、磁気媒体、光学媒体、ランダムアクセスメモリ（ＲＡＭ）、リードオンリーメモリ（ＲＯＭ）、大容量記憶媒体（例えば、ハードディスク）、リムーバブル記憶媒体（例えば、フラッシュドライブ、コンパクトディスク（ＣＤ）、デジタルビデオディスク（ＤＶＤ））、及び／又は処理回路２７０によって使用可能な情報、データ、及び／又は命令を格納する他の任意の揮発性の又は不揮発性の非一時的なデバイス可読の及び／又はコンピュータ実行可能なメモリデバイスが含まれる。デバイス可読媒体２８０は、任意の適切な命令、データ、又は情報を格納することができ、これには、コンピュータプログラム、ソフトウェア、アプリケーション（ロジック、ルール、コード、テーブルなどのうちの１つ又は複数を含む）、及び／又は、処理回路２７０によって実行され、ネットワークノード２６０によって利用されることが可能な他の命令が含まれる。デバイス可読媒体２８０は、処理回路２７０によって行われた任意の演算、及び／又は、インタフェース２９０を介して受信された任意のデータを格納するために使用され得る。幾つかの実施形態では、処理回路２７０及びデバイス可読媒体２８０が一体化されていると考えることができる。
【００７９】
インタフェース２９０は、ネットワークノード２６０、ネットワーク２０６、及び／又は無線デバイス２１０、２１０ｂ、２１０ｃの間の、信号及び／又はデータの有線又は無線の通信に使用される。図示のように、インタフェース２９０は、例えば有線接続を介してネットワーク２０６との間でデータを送受信するためのポート／端子２９４を含む。インタフェース２９０はまた、アンテナ２６２に結合され得る（又は特定の実施形態ではその一部であり得る）無線フロントエンド回路２９２を含む。無線フロントエンド回路２９２は、フィルタ２９８及び増幅器２９６を含む。無線フロントエンド回路２９２は、アンテナ２６２及び処理回路２７０に接続されてもよい。無線フロントエンド回路は、アンテナ２６２と処理回路２７０との間で通信される信号を調整する(condition)ように構成することができる。無線フロントエンド回路２９２は、無線接続を介して他のネットワークノード又は無線デバイスに送出されるデジタルデータを受信することができる。無線フロントエンド回路２９２は、フィルタ２９８及び／又は増幅器２９６の組合せを使用して、デジタルデータを適切なチャネル及び帯域幅パラメータを有する無線信号に変換することができる。次いで、無線信号は、アンテナ２６２を介して送信されてもよい。同様に、データを受信するとき、アンテナ２６２は無線信号を収集してもよく、次いで、無線信号は無線フロントエンド回路２９２によってデジタルデータに変換される。デジタルデータは、処理回路２７０に渡すことができる。他の実施形態では、インタフェースは、異なるコンポーネント及び／又はコンポーネントの異なる組合せを含むことができる。
【００８０】
特定の代替実施形態では、ネットワークノード２６０は別個の無線フロントエンド回路２９２を含んでいなくてもよく、代わりに、処理回路２７０は、無線フロントエンド回路を含んでいてもよく、別個の無線フロントエンド回路２９２を伴わずにアンテナ２６２に接続されてもよい。同様に、幾つかの実施形態では、ＲＦトランシーバ回路２７２の全て又は一部はインタフェース２９０の一部と見なされてもよい。更に他の実施形態では、インタフェース２９０は、無線ユニット（図示せず）の一部として、１つ又は複数のポート又は端子２９４、無線フロントエンド回路２９２、及びＲＦトランシーバ回路２７２を含んでもよく、インタフェース２９０は、デジタルユニット（図示せず）の一部であるベースバンド処理回路２７４と通信してもよい。
【００８１】
アンテナ２６２は、無線信号を送信及び／又は受信するように構成された１つ又は複数のアンテナ、又はアンテナアレイを含むことができる。アンテナ２６２は、無線フロントエンド回路２９０に結合することができ、データ及び／又は信号を無線で送受信することができる任意のタイプのアンテナとすることができる。幾つかの実施形態では、アンテナ２６２は、例えば２ＧＨｚと６６ＧＨｚとの間で無線信号を送受信するように動作可能な、１つ又は複数の無指向性のセクタ又はパネルアンテナを含んでもよい。無指向性アンテナは、任意の方向で無線信号を送受信するために使用可能であり、セクタアンテナは、特定の領域内のデバイスから無線信号を送受信するために使用可能であり、パネルアンテナは、比較的直線状に無線信号を送受信するために使用される視線アンテナ(line of sight antenna)であってもよい。幾つかの例では、２以上のアンテナの使用がＭＩＭＯと呼ばれ得る。幾つかの実施形態では、アンテナ２６２は、ネットワークノード２６０とは別個であってもよく、インタフェース又はポートを介してネットワークノード２６０に接続可能であってもよい。
【００８２】
アンテナ２６２、インタフェース２９０、及び／又は処理回路２７０は、ネットワークノードによって実行されるものとして本明細書に記載される任意の受信動作及び／又は特定の取得動作を実行するように構成され得る。任意の情報、データ、及び／又は信号は、無線デバイス、他のネットワークノード、及び／又は任意の他のネットワーク装置から受信され得る。同様に、アンテナ２６２、インタフェース２９０、及び／又は処理回路２７０は、ネットワークノードによって実行されるものとして本明細書に記載される任意の送信動作を実行するように構成され得る。任意の情報、データ、及び／又は信号は、無線デバイス、他のネットワークノード、及び／又は任意の他のネットワーク装置へと送信され得る。
【００８３】
電力回路２８７は、電力管理回路を備えてもよく、又は電力管理回路に結合されてもよく、本明細書に記載される機能を実行するための電力をネットワークノード２６０のコンポーネントに供給するように構成される。電力回路２８７は、電源２８６から電力を受け取ることができる。電源２８６及び／又は電力回路２８７は、それぞれのコンポーネントに適した形態で（例えば、それぞれのコンポーネントに必要な電圧及び電流レベルで）ネットワークノード２６０の様々なコンポーネントに電力を供給するように構成されてもよい。電源２８６は、電力回路２８７及び／又はネットワークノード２６０に含まれるか、又はその外部にあってもよい。例えば、ネットワークノード２６０は、電気ケーブルなどの入力回路又はインタフェースを介して、外部電源（例えば、電気コンセント）に接続可能であってもよく、それによって、外部電源は、電力回路２８７に電力を供給する。更なる例として、電源２８６は、電力回路２８７に接続される、又は統合される、バッテリ又はバッテリパックの形態の電源を含んでもよい。外部電源に障害が発生した場合、バッテリがバックアップ電力を供給してもよい。光起電デバイスのような他のタイプの電源も使用することができる。
【００８４】
ネットワークノード２６０の代替実施形態は、本明細書で説明される機能のいずれか、及び／又は本明細書で説明される主題をサポートするために必要な任意の機能を含む、ネットワークノードの機能のある態様を提供する責任を負うことができる、図２に示されるものを超える追加のコンポーネントを含むことができる。例えば、ネットワークノード２６０は、ネットワークノード２６０への情報の入力を可能にし、かつネットワークノード２６０からの情報の出力を可能にする、ユーザインタフェース装置を含むことができる。これにより、ユーザがネットワークノード２６０の診断、保守、修理、及びその他の管理の機能を実行できるようにすることができる。
【００８５】
本明細書で使用されるように、無線デバイスは、ネットワークノード及び／又は他の無線デバイスと無線で通信するように、できる、設定される、構成される、及び／又は動作可能な、デバイスを指す。幾つかの例では、ＵＥは、無線デバイスとして実装される。無線で通信することは、電磁波、電波、赤外線、及び／又は、エア経由で情報を伝達するのに適した他のタイプの信号を使用して、無線信号を送信及び／又は受信することを伴ってもよい。幾つかの実施形態では、無線デバイスが直接的な人間の相互作用なしに情報を送信及び／又は受信するように構成され得る。例えば、無線デバイスは、所定のスケジュールで、内部又は外部イベントによってトリガされたとき、又はネットワークからの要求に応答して、情報をネットワークに送信するように設計されてもよい。無線デバイスの例には、限定されるものではないが、スマートフォン、移動電話、セル電話、ボイスオーバーＩＰ電話、無線ローカルループ電話、デスクトップコンピュータ、パーソナルデジタルアシスタント（ＰＤＡ）、無線カメラ、ゲームコンソール又はデバイス、音楽ストレージデバイス、再生器具、ウェアラブル端末デバイス、無線エンドポイント、移動局、タブレット、ラップトップ、ラップトップ組み込み装置（ＬＥＥ）、ラップトップ搭載装置（ＬＭＥ）、スマートデバイス、無線カスタマープレミス装置（ＣＰＥ）、車載無線端末デバイス、などが含まれる。無線デバイスは例えば、サイドリンク通信のための３ＧＰＰ標準を実装することによって、デバイスツーデバイス（Ｄ２Ｄ）通信をサポートすることができ、この場合、Ｄ２Ｄ通信デバイスと呼ばれることもある。更に別の特定の例として、ＩｏＴ(Internet of Things)シナリオでは、無線デバイスは、監視及び／又は測定を実行し、そのような監視及び／又は測定の結果を別の無線デバイス及び／又はネットワークノードに送信する機械又は他のデバイスを表すことができる。この場合、無線デバイスは、マシンツーマシン（Ｍ２Ｍ）デバイスであってもよく、これは３ＧＰＰコンテキストではマシンタイプ通信（ＭＴＣ）デバイスと呼ばれる場合もある。特定の一例として、無線デバイスは、３ＧＰＰナローバンドInternet of Things（ＮＢ−ＩｏＴ）標準規格を実装するＵＥであるかもしれない。そのような機械又はデバイスの特定の例は、センサ、電力計などの計量デバイス、産業機械、又は家庭用若しくは個人用機器（例えば、冷蔵庫、テレビなど）、個人用ウェアラブル（例えば、時計、フィットネストラッカなど）である。他のシナリオでは、無線デバイスは、その動作状態又はその動作に関連する他の機能を監視及び／又は報告することができる、車両又は他の装置を表し得る。上述の無線デバイスは,無線接続のエンドポイントを表してもよく、この場合、このデバイスは無線端末と呼ばれる場合もある。更に、上述のような無線デバイスはモバイルとすることができ、この場合、モバイルデバイス又はモバイル端末とも呼ばれ得る。
【００８６】
図示のように、無線デバイス２１０は、アンテナ２１１、インタフェース２１４、処理回路２２０、デバイス可読媒体２３０、ユーザインタフェース装置２３２、補助装置２３４、電源２３６、及び電力回路２３７を含む。無線デバイス２１０は、無線デバイス２１０によってサポートされる異なる無線技術（ほんの数例を挙げると、例えば、ＧＳＭ、ＷＣＤＭＡ、ＬＴＥ、ＮＲ、ＷｉＦｉ、ＷｉＭＡＸ、又はＢｌｕｅｔｏｏｔｈ無線技術など）のための示されたコンポーネントのうちの１つ又は複数の、複数のセットを含み得る。これらの無線技術は、無線デバイス２１０内の他のコンポーネントと同じ又は異なるチップ又はチップのセットに統合され得る。
【００８７】
アンテナ２１１は、無線信号を送信及び／又は受信するように構成された１つ又は複数のアンテナ、又はアンテナアレイを含むことができ、インタフェース２１４に接続される。特定の代替実施形態では、アンテナ２１１は、無線デバイス２１０とは別個であってもよく、インタフェース又はポートを介して無線デバイス２１０に接続可能であってもよい。アンテナ２１１、インタフェース２１４、及び／又は処理回路２２０は、無線デバイスによって実行されるものとして本明細書で説明される任意の受信動作又は送信動作を実行するように構成され得る。任意の情報、データ、及び／又は信号は、ネットワークノード及び／又は他の無線デバイスから受信され得る。幾つかの実施形態では、無線フロントエンド回路及び／又はアンテナ２１１は、インタフェースとみなされてもよい。
【００８８】
図示されるように、インタフェース２１４は、無線フロントエンド回路２１２とアンテナ２１１とを備える。無線フロントエンド回路２１２は、１つ又は複数のフィルタ２１８及び増幅器２１６を備える。無線フロントエンド回路２１４は、アンテナ２１１及び処理回路２２０に接続され、アンテナ２１１と処理回路２２０との間で通信される信号を調整する(condition)ように構成される。無線フロントエンド回路２１２は、アンテナ２１１に結合されても、又はその一部であってもよい。幾つかの実施形態では無線デバイス２１０は、個別の無線フロントエンド回路２１２を含んでいなくてもよい。むしろ、処理回路２２０が無線フロントエンド回路を含んでいてもよく、アンテナ２１１に接続されていてもよい。同様に、幾つかの実施形態では、ＲＦトランシーバ回路２２２の一部又は全てはインタフェース２１４の一部と見なされてもよい。無線フロントエンド回路２１２は、無線接続を介して他のネットワークノード又は無線デバイスに送出されるデジタルデータを受信することができる。無線フロントエンド回路２１２は、フィルタ２１８及び／又は増幅器２１６の組合せを使用して、デジタルデータを適切なチャネル及び帯域幅パラメータを有する無線信号に変換することができる。次いで、無線信号は、アンテナ２１１を介して送信されてもよい。同様に、データを受信するとき、アンテナ２１１は無線信号を収集してもよく、次いで、無線信号は無線フロントエンド回路２１２によってデジタルデータに変換される。デジタルデータは、処理回路２２０に渡すことができる。他の実施形態では、インタフェースは、異なるコンポーネント及び／又はコンポーネントの異なる組合せを含むことができる。
【００８９】
処理回路２２０は、マイクロプロセッサ、コントローラ、マイクロコントローラ、中央処理装置、デジタル信号プロセッサ、特定用途向け集積回路、フィールドプログラマブルゲートアレイ、又は任意の他の適切なコンピューティングデバイス、リソース、又は、ハードウェア、ソフトウェア、及び／又は符号化ロジックの組合せのうちの１つ又は複数の組合せを備えることができ、これらは、単独で、又はデバイス可読媒体２３０などの他の無線デバイス２１０のコンポーネントと共に、無線デバイス２１０の機能を提供するように動作可能である。そのような機能は、本明細書で説明される様々な無線特徴又は利益のいずれかを提供することを含むことができる。例えば、処理回路２２０は、本明細書で開示される機能を提供するために、デバイス可読媒体２３０又は処理回路２２０内のメモリに記憶された命令を実行することができる。
【００９０】
図示されるように、処理回路２２０は、ＲＦトランシーバ回路２２２、ベースバンド処理回路２２４、及びアプリケーション処理回路２２６のうちの１つ又は複数を含む。他の実施形態では、処理回路は、異なるコンポーネント、及び／又はコンポーネントの異なる組合せを含むことができる。ある実施形態では、無線デバイス２１０の処理回路２２０は、ＳＯＣを備えることができる。幾つかの実施形態では、ＲＦトランシーバ回路２２２、ベースバンド処理回路２２４、及びアプリケーション処理回路２２６は、別個のチップ又はチップのセット上にあってもよい。代替実施形態では、ベースバンド処理回路２２４及びアプリケーション処理回路２２６の一部又は全部を１つのチップ又はチップのセットに組み合わせてもよく、ＲＦトランシーバ回路２２２は、別個のチップ又はチップのセット上にあってもよい。更なる代替実施形態では、ＲＦトランシーバ回路２２２及びベースバンド処理回路２２４の一部又は全部が同じチップ又はチップのセット上にあってもよく、アプリケーション処理回路２２６は別個のチップ又はチップのセット上にあってもよい。更に他の代替実施形態では、ＲＦトランシーバ回路２２２、ベースバンド処理回路２２４、及びアプリケーション処理回路２２６の一部又は全部が同じチップ又はチップのセット内で組み合わされてもよい。幾つかの実施形態では、ＲＦトランシーバ回路２２２は、インタフェース２１４の一部であってもよい。ＲＦトランシーバ回路２２２は、処理回路２２０のためにＲＦ信号を調整する(condition)ことができる。
【００９１】
特定の実施形態では、無線デバイスによって実行されるものとして本明細書で説明される機能の一部又は全部は、デバイス可読媒体２３０（これは特定の実施形態ではコンピュータ可読記憶媒体であってもよい）上に記憶された命令を実行する処理回路２２０によって提供されてもよい。代替実施形態では、機能の幾つか又は全ては、別個の又は個別のデバイス可読記憶媒体上に格納された命令を実行することなく、ハードワイヤード方式などで、処理回路２２０によって提供され得る。これらの特定の実施形態のいずれにおいても、デバイス可読記憶媒体上に記憶された命令を実行するか否かにかかわらず、処理回路２２０は、説明された機能を実行するように構成され得る。そのような機能によって提供される利点は、処理回路２２０単独又は無線デバイス２１０の他のコンポーネントに限定されず、一般的に、無線デバイス２１０全体によって、及び／又はエンドユーザ及び無線ネットワークによって享受される。
【００９２】
処理回路２２０は、無線デバイスによって実行されるものとして本明細書で説明される、任意の判定、計算、又は類似の動作（例えば、特定の取得動作）を実行するように構成され得る。処理回路２２０によって実行されるようなこれらの動作は例えば、取得された情報を他の情報に変換すること、取得された情報又は変換された情報を無線デバイス２１０に格納された情報と比較すること、及び／又は取得された情報又は変換された情報に基づいて１つ又は複数の動作を実行することによって、処理回路２２０によって取得された情報を処理すること、並びに、及び前記処理の結果として判定を行うことを含み得る。
【００９３】
デバイス可読媒体２３０は、コンピュータプログラム、ソフトウェア、アプリケーション（ロジック、ルール、コード、テーブルなどのうちの１つ又は複数を含む）、及び／又は、処理回路２２０によって実行されることが可能な他の命令を格納するように動作可能であり得る。デバイス可読媒体２３０は、コンピュータメモリ（例えば、ランダムアクセスメモリ（ＲＡＭ）又はリードオンリーメモリ（ＲＯＭ））、大容量記憶媒体（例えば、ハードディスク）、リムーバブル記憶媒体（例えば、コンパクトディスク（ＣＤ）又はデジタルビデオディスク（ＤＶＤ））、及び／又は、処理回路２２０によって使用可能な情報、データ、及び／又は命令を格納する他の揮発性又は不揮発性の非一時的なデバイス可読の及び／又はコンピュータ実行可能なメモリデバイスを含むことができる。幾つかの実施形態では、処理回路２２０及びデバイス可読媒体２３０が一体化されていると考えることができる。
【００９４】
ユーザインタフェース装置２３２は、人間のユーザが無線デバイス２１０とやりとりすることを可能にするコンポーネントを提供し得る。そのようなやりとりは、視覚的、聴覚的、触覚的などの多くの形態であり得る。ユーザインタフェース装置２３２は、ユーザへの出力を生成し、ユーザが無線デバイス２１０に入力を提供することを可能にするように動作可能であり得る。やりとりのタイプは、無線デバイス２１０にインストールされたユーザインタフェース装置２３２のタイプに依存して変化し得る。例えば、無線デバイス２１０がスマートフォンである場合、やりとりはタッチスクリーンを介することができ。無線デバイス２１０がスマートメータである場合、やりとりは使用量（例えば、使用されたガロン数）を提供するスクリーン、又は可聴警告（例えば、煙が検出された場合）を提供するスピーカを介することができる。ユーザインタフェース装置２３２は、入力インタフェース、デバイス、及び回路、並びに出力インタフェース、デバイス、及び回路を含み得る。ユーザインタフェース装置２３２は、無線デバイス２１０への情報の入力を可能にするように構成され、処理回路２２０に接続されて、処理回路２２０が入力情報を処理することを可能にする。ユーザインタフェース装置２３２は、例えば、マイクロフォン、近接又は他のセンサ、キー／ボタン、タッチディスプレイ、１つ又は複数のカメラ、ＵＳＢポート、又は他の入力回路を含むことができる。ユーザインタフェース装置２３２はまた、無線デバイス２１０からの情報の出力を可能にし、処理回路２２０が無線デバイス２１０から情報を出力することを可能にするように構成される。ユーザインタフェース装置２３２は、例えば、スピーカ、ディスプレイ、振動回路、ＵＳＢポート、ヘッドホンインタフェース、又は他の出力回路を含み得る。ユーザインタフェース装置２３２の１つ又は複数の入出力インタフェース、デバイス、及び回路を使用して、無線デバイス２１０は、エンドユーザ及び／又は無線ネットワークと通信することができ、本明細書で説明する機能からの恩恵を受けることを可能にすることができる。
【００９５】
補助装置２３４は、無線デバイスによって一般に実行されない可能性がある、より特定の機能を提供するように動作可能である。これは、様々な目的のために測定を行うための専用センサ、有線通信などの追加のタイプの通信のためのインタフェースを含むことができる。補助装置２３４のコンポーネントを含めること及びタイプは、実施形態及び／又はシナリオに応じて変わり得る。
【００９６】
電源２３６は、一部の実施形態では、バッテリ又はバッテリパックの形態であってもよい。外部電源（例えば、電気コンセント）、光起電デバイス、又はパワーセルなどの、他のタイプの電源も使用することができる。無線デバイス２１０は、本明細書に記載又は示される任意の機能を実行するために電源２３６からの電力を必要とする無線デバイス２１０の様々な部分に対して電源２３６からの電力を送る電力回路２３７を更に備えてもよい。電力回路２３７は、特定の実施形態において、電力管理回路を備えることができる。電力回路２３７は、追加的又は代替的に、外部電源から電力を受け取るように動作可能であってもよい。この場合、無線デバイス２１０は、入力回路又は電力ケーブルなどのインタフェースを介して外部電源（電気コンセントなど）に接続可能であってもよい。電力回路２３７はまた、特定の実施形態において、外部電源から電源２３６に電力を送るように動作可能であってもよい。これは、例えば、電源２３６の充電のためであってもよい。電力回路２３７は、電力が供給される無線デバイス２１０のそれぞれのコンポーネントに適した電力にするために、電源２３６からの電力に対して、任意のフォーマッティング、変換、又は他の修正を実行することができる。
【００９７】
図３は、幾つかの例による、ユーザ装置を示すブロック図である。本明細書で使用されるように、ユーザ装置又はＵＥは必ずしも、関連するデバイスを所有し及び／又は操作する人間のユーザという意味でユーザを有するとは限らない。代わりに、ＵＥは、人間のユーザへの販売又は人間のユーザによる操作が意図されているが、特定の人間のユーザに関連付けられていなくてもよい、又は最初は関連付けられていなくてもよい、デバイスを表してもよい。ＵＥはまた、人間のユーザへの販売又は人間のユーザによる操作が意図されていないＮＢ−ＩｏＴ  ＵＥを含む、第３世代パートナーシッププロジェクト（３ＧＰＰ）によって識別される任意のＵＥを含むこともできる。図３に示すように、ＵＥ３００は、３ＧＰＰ（３rd Generation Partnership Project)によって公表された１つ又は複数の通信規格（３ＧＰＰのＧＳＭ、ＵＭＴＳ、ＬＴＥ、及び／又は５Ｇ規格など）に従って通信するように構成された無線デバイスの一例である。従って、図３はＵＥであるが、本明細書で説明されるコンポーネントは無線デバイスに等しく適用可能であり、その逆もまた同様である。
【００９８】
図３では、ＵＥ３００は、入力／出力インタフェース３０５、無線周波数（ＲＦ）インタフェース３０９、ネットワーク接続インタフェース３１１、メモリ３１５（ランダムアクセスメモリ（ＲＡＭ）３１７、リードオンリーメモリ（ＲＯＭ）３１９、及び記憶媒体３２１などを含む）、通信サブシステム３３１、電源３３３、及び／又は任意の他のコンポーネント、又はそれらの任意の組合せに動作可能に結合された処理回路３０１を含む。記憶媒体３２１は、オペレーティングシステム３２３、アプリケーションプログラム３２５、及びデータ３２７を含む。他の実施形態では、記憶媒体３２１は、他の同様のタイプの情報を含むことができる。何らかのＵＥは、図３に示されるコンポーネントの全て、又はコンポーネントのサブセットのみを利用し得る。コンポーネント間の統合のレベルは、１つのＵＥから別のＵＥへと変化し得る。更に、何らかのＵＥは、複数のプロセッサ、メモリ、送受信機、送信機、受信機など、コンポーネントの複数のインスタンスを含み得る。
【００９９】
図３において、処理回路３０１は、コンピュータ命令及びデータを処理するように構成されてもよい。処理回路３０１は、機械可読コンピュータプログラムとしてメモリに格納された機械命令を実行するように動作可能な任意のシーケンシャルステートマシン（例えば、１つ又は複数のハードウェア実装ステートマシン（例えば、個別ロジック、ＦＰＧＡ、ＡＳＩＣなど）、適切なファームウェアを伴うプログラマブルロジック、適切なソフトウェアを伴う、１つ又は複数の格納プログラム、マイクロプロセッサ又はデジタル信号プロセッサ（ＤＳＰ）などの汎用プロセッサ、又は上記の任意の組合せなど）を実装するように構成され得る。例えば、処理回路３０１は、２つの中央処理装置（ＣＰＵ）を含むことができる。データは、コンピュータによる使用に適した形態の情報であってもよい。
【０１００】
図示の実施形態では、入力／出力インタフェース３０５は、入力デバイス、出力デバイス、又は入力及び出力デバイスに通信インタフェースを提供するように構成されてもよい。ＵＥ３００は、入力／出力インタフェース３０５を介して出力デバイスを使用するように構成され得る。出力デバイスは、入力デバイスと同じタイプのインタフェースポートを使用できる。例えば、ＵＳＢポートは、ＵＥ３００に対して入力及び出力を提供するように使用可能である。出力デバイスは、スピーカ、サウンドカード、ビデオカード、ディスプレイ、モニタ、プリンタ、アクチュエータ、エミッタ、スマートカード、他の出力デバイス、又はそれらの任意の組合せとすることができる。ＵＥ３００は、ユーザがＵＥ３００に情報を取り込むことを可能にするように、入力／出力インタフェース３０５を介して入力デバイスを使用するように構成することができる。入力デバイスは、タッチセンシティブ又はプレゼンスセンシティブディスプレイ、カメラ（例えば、デジタルカメラ、デジタルビデオカメラ、ウェブカメラなど）、マイクロフォン、センサ、マウス、トラックボール、方向パッド、トラックパッド、スクロールホイール、スマートカードなどを含むことができる。プレゼンスセンシティブディスプレイは、ユーザからの入力を感知する、容量性又は抵抗性タッチセンサを含んでもよい。センサは例えば、加速度計、ジャイロスコープ、チルトセンサ、力センサ、磁力計、光学センサ、近接センサ、他の同様のセンサ、又はそれらの任意の組合せとすることができる。例えば、入力デバイスは、加速度計、磁力計、デジタルカメラ、マイクロフォン、及び光センサであってもよい。
【０１０１】
図３において、ＲＦインタフェース３０９は、送信機、受信機、及びアンテナのようなＲＦコンポーネントに対する通信インタフェースを提供するように構成されてもよい。ネットワーク接続インタフェース３１１は、ネットワーク３４３ａに対する通信インタフェースを提供するように構成され得る。ネットワーク３４３ａは、ローカルエリアネットワーク（ＬＡＮ）、ワイドエリアネットワーク（ＷＡＮ）、コンピュータネットワーク、無線ネットワーク、遠隔通信ネットワーク、別の同様のネットワーク、又はそれらの任意の組合せなどの、有線及び／又は無線ネットワークを含むことができる。例えば、ネットワーク３４３ａは、Ｗｉ−Ｆｉネットワークを含むことができる。ネットワーク接続インタフェース３１１は、１つ又は複数の通信プロトコル（イーサネット、ＴＣＰ／ＩＰ、ＳＯＮＥＴ、ＡＴＭなど）に従って、通信ネットワークを介して１つ又は複数の他のデバイスと通信するために使用される受信機及び送信機インタフェースを含むように構成され得る。ネットワーク接続インタフェース３１１は、通信ネットワークリンク（例えば、光、電気など）に適した受信機及び送信機の機能を実装することができる。送信機及び受信機の機能は、回路コンポーネント、ソフトウェア、又はファームウェアを共有してもよいし、或いは別々に実装されてもよい。
【０１０２】
ＲＡＭ３１７は、オペレーティングシステム、アプリケーションプログラム、及びデバイスドライバなどのソフトウェアプログラムの実行中にデータ又はコンピュータ命令のストレージ又はキャッシュを提供するために、バス３０２を介して処理回路３０１にインタフェースするように構成することができる。ＲＯＭ３１９は、コンピュータ命令又はデータを処理回路３０１に提供するように構成することができる。例えば、ＲＯＭ３１９は、基本的な入出力（Ｉ／Ｏ）、スタートアップ、又はキーボードからのキーストロークの受信のような基本的なシステム機能のための、不揮発性メモリに記憶された不変の低レベルシステムコード又はデータを記憶するように構成されてもよい。記憶媒体３２１は、ＲＡＭ、ＲＯＭ、プログラマブルリードオンリーメモリ（ＰＲＯＭ）、消去可能プログラマブルリードオンリーメモリ（ＥＰＲＯＭ）、電気的消去可能プログラマブルリードオンリーメモリ（ＥＥＰＲＯＭ）、磁気ディスク、光ディスク、フロッピーディスク、ハードディスク、リムーバブルカートリッジ、又はフラッシュドライブなどのメモリを含むように構成することができる。一例では、記憶媒体３２１は、オペレーティングシステム３２３、ウェブブラウザアプリケーションなどのアプリケーションプログラム３２５、ウィジェット又はガジェットエンジン又は別のアプリケーション、及びデータファイル３２７を含むように構成することができる。記憶媒体３２１は、ＵＥ３００によって使用するために、様々なオペレーティングシステムのうちの任意のもの、又はオペレーティングシステムの組合せを記憶することができる。
【０１０３】
記憶媒体３２１は、ＲＡＩＤ(redundant array of independent disks)のような複数の物理ドライブユニット、フロッピーディスクドライブ、フラッシュメモリ、ＵＳＢフラッシュドライブ、外付ハードディスクドライブ、サムドライブ、ペンドライブ、キードライブ、高密度デジタル多用途ディスク（ＨＤ−ＤＶＤ）光ディスクドライブ、内蔵ハードディスクドライブ、ブルーレイ光ディスクドライブ、ホログラフィックデジタルデータストレージ（ＨＤＤＳ）光ディスクドライブ、外部ＤＩＭＭ(mini-dual in-line memory module)、ＳＤＲＡＭ(synchronous dynamic random access memory)、外部マイクロＤＩＭＭ  ＳＤＲＡＭ、加入者識別モジュール又は取り外し可能ユーザ識別（ＳＩＭ／ＲＵＩＭ）モジュールなどのスマートカードメモリ、他のメモリ、又はそれらの任意の組合せなどを含むように構成され得る。記憶媒体３２１は、ＵＥ３００が一時的又は非一時的メモリ媒体に記憶されたコンピュータ実行可能命令、アプリケーションプログラム等にアクセスし、データをオフロードし、又はデータをアップロードすることを可能にし得る。通信システムを利用するもののような製品は、デバイス可読媒体を備えることができる記憶媒体３２１内に有形に具現化することができる。
【０１０４】
図３において、処理回路３０１は、通信サブシステム３３１を使用してネットワーク３４３ｂと通信するように構成されてもよい。ネットワーク３４３ａ及びネットワーク３４３ｂは、同じ単数又は複数のネットワークであってもよいし、異なる単数又は複数のネットワークであってもよい。通信サブシステム３３１は、ネットワーク３４３ｂと通信するために使用される１つ又は複数の送受信機を含むように構成され得る。例えば、通信サブシステム３３１は、１以上の通信プロトコル（ＩＥＥＥ８０２．３、ＣＤＭＡ、ＷＣＤＭＡ、ＧＳＭ、ＬＴＥ、ＵＴＲＡＮ、ＷｉＭａｘなど）に従って、無線通信が可能な別のデバイス（別の無線デバイス、ＵＥ、又はＲＡＮの基地局など）の１以上のリモート送受信機と通信するために使用される、１以上の送受信機を含むように構成することができる。各送受信機は、ＲＡＮリンク（例えば、周波数割り当てなど）に適切な送信機又は受信機の機能それぞれを実装するために、送信機３３３及び／又は受信機３３５を含んでもよい。更に、各送受信機の送信機３３３及び受信機３３５は、回路コンポーネント、ソフトウェア、又はファームウェアを共有してもよいし、或いは別々に実装されてもよい。
【０１０５】
図示の実施形態では、通信サブシステム３３１の通信機能は、データ通信、音声通信、マルチメディア通信、Ｂｌｕｅｔｏｏｔｈなどの短距離無線通信、近距離無線通信、位置を判定するための全地球測位システム（ＧＰＳ）の使用などの位置ベース通信、別の同様の通信機能、又はそれらの任意の組合せを含むことができる。例えば、通信サブシステム３３１は、セルラー通信、Ｗｉ−Ｆｉ通信、Ｂｌｕｅｔｏｏｔｈ通信、及びＧＰＳ通信を含むことができる。ネットワーク３４３ｂは、ローカルエリアネットワーク（ＬＡＮ）、ワイドエリアネットワーク（ＷＡＮ）、コンピュータネットワーク、無線ネットワーク、遠隔通信ネットワーク、別の同様のネットワーク、又はそれらの任意の組合せなどの、有線及び／又は無線ネットワークを含むことができる。例えば、ネットワーク３４３ｂは、セルラネットワーク、Ｗｉ−Ｆｉネットワーク、及び／又は近距離無線ネットワークであってもよい。電源３１３は、ＵＥ３００のコンポーネントに交流（ＡＣ）又は直流（ＤＣ）電力を供給するように構成することができる。
【０１０６】
本明細書で説明される特徴、利点、及び／又は機能は、ＵＥ３００のコンポーネントのうちの１つにおいて実装されてもよいし、又はＵＥ３００の複数のコンポーネントにわたって分割されてもよい。更に、本明細書で説明される特徴、利点、及び／又は機能は、ハードウェア、ソフトウェア、又はファームウェアの任意の組合せで実装され得る。一例では、通信サブシステム３３１は、本明細書で説明されるコンポーネントのいずれかを含むように構成され得る。更に、処理回路３０１は、バス３０２を介してそのようなコンポーネントのいずれかと通信するように構成されてもよい。別の例では、そのようなコンポーネントのいずれも、処理回路３０１によって実行されるときに本明細書で説明される対応する機能を実行する、メモリに格納されたプログラム命令によって表され得る。別の例では、そのようなコンポーネントのいずれかの機能は、処理回路３０１と通信サブシステム３３１との間で分割されてもよい。別の例では、そのようなコンポーネントのいずれかの非計算集中的機能は、ソフトウェア又はファームウェアで実装することができ、計算集中的機能は、ハードウェアで実装することができる。
【０１０７】
図４は、幾つかの実施形態によって実現される機能が仮想化され得る仮想化環境を示すブロック図である。本文脈では、仮想化とは、ハードウェアプラットフォーム、ストレージデバイス及びネットワーキングリソースを仮想化することを含み得る、装置又はデバイスの仮想バージョンを作成することを意味する。本明細書で使用されるように、仮想化は、ノード（例えば、仮想化基地局又は仮想化無線アクセスノード）又はデバイス（例えば、ＵＥ、無線デバイス、又は任意の他のタイプの通信デバイス）又はそれらのコンポーネントに適用されることができ、機能の少なくとも一部が１つ又は複数の仮想コンポーネントとして（例えば、１つ又は複数のネットワーク内の１つ又は複数の物理処理ノード上で実行される１つ又は複数のアプリケーション、コンポーネント、機能、仮想マシン、又はコンテナを介して）実装される実装形態に関係する。
【０１０８】
幾つかの実施形態では、本明細書に記載する機能の一部又は全部は、１以上のハードウェアノード４３０によってホストされる１以上の仮想環境において実装される１以上の仮想マシンによって実行される仮想コンポーネントとして実装することができる。更に、仮想ノードが無線アクセスノードではないか又は無線接続を必要としない実施形態（例えば、コアネットワークノード）では、ネットワークノードは完全に仮想化することができる。
【０１０９】
機能は、本明細書で開示される実施形態の幾つかの特徴、機能、及び／又は利益の幾つかを実装するように動作する１つ又は複数のアプリケーション４２０（これは代替として、ソフトウェアインスタンス、仮想アプライアンス、ネットワーク機能、仮想ノード、仮想ネットワーク機能などと呼ばれ得る）によって実装され得る。アプリケーション４２０は、処理回路４６０及びメモリ４９０を備えるハードウェア４３０を提供する仮想化環境で実行される。メモリ４９０は、処理回路４６０によって実行可能な命令４９５を含み、それによって、アプリケーション４２０は、本明細書で開示される特徴、利点、及び／又は機能のうちの１つ又は複数を提供するように動作する。
【０１１０】
仮想化環境は、１つ又は複数のプロセッサ又は処理回路４６０（これらは、ＣＯＴＳ(commercial off-the-shelf)プロセッサ、専用特定用途向け集積回路（ＡＳＩＣ）、又は、デジタル若しくはアナログハードウェアコンポーネント若しくは専用プロセッサを含む任意の他のタイプの処理回路であってもよい）のセットを備える汎用又は専用ネットワークハードウェアデバイス４３０を備える。各ハードウェアデバイスは、処理回路４６０によって実行される命令４９５又はソフトウェアを一時的に記憶するための非永続的メモリとすることができるメモリ４９０を備えることができる。各ハードウェアデバイスは、物理ネットワークインタフェース４８０を含む、ネットワークインタフェースカードとしても知られる１以上のネットワークインタフェースコントローラ４７０を含むことができる。各ハードウェアデバイスはまた、処理回路４６０によって実行可能なソフトウェア４９５及び／又は命令を格納した、非一時的な、永続的な、機械可読記憶媒体４９０を含んでもよい。ソフトウェア４９５は、１以上の仮想化層４５０（ハイパーバイザとも呼ばれる）をインスタンス化するためのソフトウェア、仮想マシン４４０を実行するためのソフトウェア、並びに本明細書に記載する幾つかの実施形態に関連して記載される機能、特徴及び／又は利点をそれが実行することを可能にするソフトウェアを含む、任意のタイプのソフトウェアを含むことができる。
【０１１１】
仮想マシン４４０は、仮想処理、仮想メモリ、仮想ネットワークワーキング又はインタフェース、及び仮想ストレージを含み、対応する仮想化層４５０又はハイパーバイザによって実行することができる。仮想アプライアンス４２０のインスタンスの異なる実施形態が、１つ又は複数の仮想マシン４４０上で実装されてもよく、実装は異なる方法で行われてもよい。
【０１１２】
動作中、処理回路４６０は、仮想マシンモニタ（ＶＭＭ）と呼ばれることもあるハイパーバイザ又は仮想化層４５０をインスタンス化するためにソフトウェア４９５を実行する。仮想化層４５０は、ネットワーキングハードウェアのように見える仮想オペレーティングプラットフォームを仮想マシン４４０に提示することができる。
【０１１３】
図４に示すように、ハードウェア４３０は、一般的又は特定のコンポーネントを有するスタンドアロンネットワークノードであってもよい。ハードウェア４３０は、アンテナ４２２５を備えることができ、仮想化を介して幾つかの機能を実装することができる。或いは、ハードウェア４３０は、ハードウェアのより大きなクラスタの一部であってもよく（例えば、データセンタ又は顧客構内設備（ＣＰＥ）において）、そこでは、多くのハードウェアノードが協働して動作し、管理及びオーケストレーション（ＭＡＮＯ）４１００（これは特に、アプリケーション４２０のライフサイクル管理を監督する）を介して管理される。
【０１１４】
ハードウェアの仮想化は、幾つかの文脈では、ネットワーク機能仮想化（ＮＦＶ）と呼ばれる。ＮＦＶは、多くのネットワーク装置タイプを、業界標準の大容量サーバハードウェア、物理スイッチ、並びにデータセンタ及び顧客構内設備内に配置することができる物理ストレージに統合するために使用することができる。
【０１１５】
ＮＦＶの文脈では、仮想マシン４４０は、あたかも物理的な仮想化されていないマシン上で実行されているかのようにプログラムを実行する、物理マシンのソフトウェア実装であってもよい。仮想マシン４４０の各々、及びその仮想マシンを実行するハードウェア４３０のその一部は、それがその仮想マシン専用のハードウェアであれ及び／又はそれがその仮想マシンによって他の仮想マシン４４０と共有されるハードウェアであれ、個別の仮想ネットワーク要素（ＶＮＥ）を形成する。
【０１１６】
やはりＮＦＶの文脈において、仮想ネットワーク機能（ＶＮＦ）は、ハードウェアネットワーキングインフラストラクチャ４３０上の１以上の仮想マシン４４０で実行される特定のネットワーク機能を処理することを担い、図４のアプリケーション４２０に対応する。
【０１１７】
幾つかの実施形態では、それぞれが１つ又は複数の送信機４２２０及び１つ又は複数の受信機４２１０を含む１つ又は複数の無線ユニット４２００は、１つ又は複数のアンテナ４２２５に結合され得る。無線ユニット４２００は、１以上の適切なネットワークインタフェースを介してハードウェアノード４３０と直接通信することができ、また、仮想コンポーネントと組み合わせて使用することで無線アクセスノード又は基地局などの無線機能を仮想ノードに提供することができる。
【０１１８】
幾つかの実施形態では、何らかのシグナリングは、制御システム４２３０（これはハードウェアノード４３０と無線ユニット４２００との間の通信のために代替的に使用され得る）の使用により達成され得る。
【０１１９】
図５は、幾つかの例による、中間ネットワークを介してホストコンピュータに接続される遠隔通信ネットワークを示すブロック図である。一実施形態によれば、通信システムは、アクセスネットワーク５１１(無線アクセスネットワークなど)を含む遠隔通信ネットワーク５１０(３ＧＰＰタイプのセルラネットワークなど)と、コアネットワーク５１４とを含む。アクセスネットワーク５１１は、ＮＢ、ｅＮＢ、ｇＮＢ、又は他のタイプの無線アクセスポイントなどの複数の基地局５１２ａ、５１２ｂ、５１２ｃを備え、それぞれが、対応するカバレッジエリア５１３ａ、５１３ｂ、５１３ｃを定義する。各基地局５１２ａ、５１２ｂ、５１２ｃは、有線又は無線接続５１５を介してコアネットワーク５１４に接続可能である。カバレッジエリア５１３ｃに位置する第１のＵＥ５９１は、対応する基地局５１２ｃに無線で接続されるか、又はそこからページングされるように構成される。カバレッジエリア５１３ａ内の第２のＵＥ５９２は、対応する基地局５１２ａに無線で接続可能である。この例では複数のＵＥ５９１、５９２が示されているが、開示された実施形態は、単一のＵＥがカバレッジエリア内にある状況、又は単一のＵＥが対応する基地局５１２に接続している状況にも等しく適用可能である。
【０１２０】
遠隔通信ネットワーク５１０は、それ自体がホストコンピュータ５３０に接続されており、これは、スタンドアロンサーバ、クラウドに実装されたサーバ、分散サーバ、又はサーバファーム内の処理リソースのハードウェア及び／又はソフトウェアにおいて具体化され得る。ホストコンピュータ５３０は、サービスプロバイダの所有又は制御の下にあってもよいし、サービスプロバイダによって、又はサービスプロバイダに代わって運用されてもよい。遠隔通信ネットワーク５１０とホストコンピュータ５３０との間の接続５２１及び５２２は、コアネットワーク５１４からホストコンピュータ５３０に直接延びていてもよいし、オプションの中間ネットワーク５２０を経由してもよい。中間ネットワーク５２０は、パブリックネットワーク、プライベートネットワーク、又はホステッドネットワークのうちの１つ、又は２以上の組合せとすることができる。中間ネットワーク５２０は、もしあれば、バックボーンネットワーク又はインターネットとすることができる。特に、中間ネットワーク５２０は、２以上のサブネットワーク（図示せず）を含むことができる。
【０１２１】
図５の通信システムは全体として、接続されたＵＥ５９１、５９２とホストコンピュータ５３０との間の接続性を可能にする。接続性は、オーバー・ザ・トップ（ＯＴＴ）接続５５０として説明することができる。ホストコンピュータ５３０及び接続されたＵＥ５９１、５９２は、アクセスネットワーク５１１、コアネットワーク５１４、任意の中間ネットワーク５２０、及び可能な更なるインフラストラクチャ（図示せず）を媒介として使用して、ＯＴＴ接続５５０を介してデータ及び／又はシグナリングを通信するように構成される。ＯＴＴ接続５５０は、ＯＴＴ接続５５０が通過する参加通信デバイスがアップリンク通信及びダウンリンク通信のルーティングに気付かないという意味で、透過的であり得る。例えば、基地局５１２は、ホストコンピュータ５３０から発生して接続されたＵＥ５９１に転送される（例えば、ハンドオーバーされる）べきデータを持つ着信ダウンリンク通信の過去のルーティングについて知らされない場合があるし、又は、知らされる必要がない。同様に、基地局５１２は、ＵＥ５９１から発生してホストコンピュータ５３０へ向かう発信アップリンク通信の将来のルーティングを認識する必要はない。
【０１２２】
図６は、幾つかの例による、部分的な無線接続上で基地局を介してユーザ装置と通信するホストコンピュータを示すブロック図である。通信システム６００では、ホストコンピュータ６１０は、通信システム６００の異なる通信デバイスのインタフェースとの有線又は無線接続をセットアップして維持するように構成された通信インタフェース６１６を含む、ハードウェア６１５を含む。ホストコンピュータ６１０は、記憶及び／又は処理能力を有することができる処理回路６１８を更に備える。特に、処理回路６１８は、命令を実行するように構成された、１つ又は複数のプログラマブルプロセッサ、特定用途向け集積回路、フィールドプログラマブルゲートアレイ、又はこれらの組み合わせ（図示せず）を含んでもよい。ホストコンピュータ６１０は、ホストコンピュータ６１０に格納されているか、又はホストコンピュータ６１０によってアクセス可能であり、処理回路６１８によって実行可能なソフトウェア６１１を更に備える。ソフトウェア６１１は、ホストアプリケーション６１２を含む。ホストアプリケーション６１２は、ＵＥ６３０及びホストコンピュータ６１０で終端するＯＴＴ接続６５０を介して接続するＵＥ６３０などのリモートユーザにサービスを提供するように動作可能であってもよい。リモートユーザにサービスを提供する際に、ホストアプリケーション６１２は、ＯＴＴ接続６５０を使用して送信されるユーザデータを提供することができる。
【０１２３】
通信システム６００は更に、遠隔通信システム内に設けられて、ホストコンピュータ６１０及びＵＥ６３０と通信することを可能にするハードウェア６２５を含む、基地局６２０を含む。ハードウェア６２５は、通信システム６００の異なる通信デバイスのインタフェースとの有線又は無線接続をセットアップ及び維持するための通信インタフェース６２６と、基地局６２０によってサービスされるカバレッジエリア（図６には示されていない）に位置するＵＥ６３０との少なくとも無線接続６７０をセットアップ及び維持するための無線インタフェース６２７とを含み得る。通信インタフェース６２６は、ホストコンピュータ６１０への接続６６０を促進するように構成することができる。接続６６０は直接的であってもよいし、又は、それは遠隔通信システムのコアネットワーク（図６には示されていない）を通過してもよく、及び／又は遠隔通信システムの外部の１以上の中間ネットワークを通過してもよい。図示の実施形態では、基地局６２０のハードウェア６２５は、命令を実行するように構成された、１つ又は複数のプログラマブルプロセッサ、特定用途向け集積回路、フィールドプログラマブルゲートアレイ、又はこれら（図示せず）の組み合わせを含み得る処理回路６２８を更に含む。更に、基地局６２０は、内部に記憶されるか又は外部接続を介してアクセス可能な、ソフトウェア６２１を有する。
【０１２４】
通信システム６００は、ＵＥ６３０が現在位置するカバレッジエリアにサービスを提供する基地局との無線接続６７０をセットアップ及び維持するように構成された無線インタフェース６３７を含むハードウェア６３５を有するＵＥ６３０を更に含む。ＵＥ６３０のハードウェア６３５は、命令を実行するように構成された、１つ又は複数のプログラマブルプロセッサ、特定用途向け集積回路、フィールドプログラマブルゲートアレイ、又はこれら（図示せず）の組み合わせを含み得る処理回路６３８を更に含む。ＵＥ６３０は、ＵＥ６３０に格納されているか、又はＵＥ６３０によってアクセス可能であり、処理回路６３８によって実行可能なソフトウェア６３１を更に備える。ソフトウェア６３１は、クライアントアプリケーション６３２を含む。クライアントアプリケーション６３２は、ホストコンピュータ６１０のサポートにより、ＵＥ６３０を介して人間又は非人間のユーザにサービスを提供するように動作可能であってもよい。ホストコンピュータ６１０において、実行中のホストアプリケーション６１２は、ＵＥ６３０及びホストコンピュータ６１０で終端するＯＴＴ接続６５０を介して、実行中のクライアントアプリケーション６３２と通信することができる。ユーザにサービスを提供する際に、クライアントアプリケーション６３２は、ホストアプリケーション６１２からリクエストデータを受信し、リクエストデータに応じてユーザデータを提供することができる。ＯＴＴ接続６５０は、リクエストデータとユーザデータの両方を転送することができる。クライアントアプリケーション６３２は、ユーザと対話して、それが提供するユーザデータを生成することができる。
【０１２５】
図６では、ＯＴＴ接続６５０を抽象的に描いて、基地局６２０を介したホストコンピュータ６１０とＵＥ６３０との間の通信を示しており、いかなる中間デバイスに対しても、これらのデバイスを介したメッセージの正確なルーティングに対しても、明示的な参照を行っていない。ネットワークインフラストラクチャは、ルーティングを決定してもよく、それはＵＥ６３０から、又はサービスプロバイダオペレーティングホストコンピュータ６１０から、或いはその両方から、それを隠すように構成されてもよい。ＯＴＴ接続６５０がアクティブである間、ネットワークインフラストラクチャは、それがルーティングを動的に変更する決定を（例えば、負荷バランシングの考慮又はネットワークの再構成に基づいて）更に行うことができる。
【０１２６】
ＵＥ６３０と基地局６２０との間の無線接続６７０は、本開示全体にわたって説明される実施形態の教示に従う。様々な実施形態のうちの１つ又は複数は、無線接続６７０が最後のセグメントを形成するＯＴＴ接続６５０を使用してＵＥ６３０に提供されるＯＴＴサービスの性能を改善する。より正確には、これらの実施形態の教示は、データレート及びレイテンシを改善し、それによって、低減されたユーザ待ち時間及びより良好な応答性などの利点を提供することができる。
【０１２７】
１つ又は複数の実施形態が改善するデータレート、レイテンシ、及び他の要因を監視する目的で、測定手順を提供することができる。更に、測定結果の変動に応じて、ホストコンピュータ６１０とＵＥ６３０との間のＯＴＴ接続６５０を再構成するためのオプションのネットワーク機能があってもよい。ＯＴＴ接続６５０を再構成するための測定手順及び／又はネットワーク機能は、ホストコンピュータ６１０のソフトウェア６１１及びハードウェア６１５、又はＵＥ６３０のソフトウェア６３１及びハードウェア６３５、或いはその両方で実施することができる。実施形態では、センサ（図示せず）が、ＯＴＴ接続６５０が通過する通信デバイスに配備されるか、又はそれに関連して配備されてもよい。センサは、上で例示された監視量の値を供給することによって、又はソフトウェア６１１、６３１が監視量をそこから計算又は推定することができる他の物理量の値を供給することによって、測定手順に関与してもよい。ＯＴＴ接続６５０の再構成は、メッセージフォーマット、再送信設定、好ましいルーティングなどを含むことができる。再構成は、基地局６２０に影響を及ぼす必要はなく、それは基地局６２０に知られていないか又は知覚できなくてもよい。このような手順及び機能は、当技術分野で既知であり実践されていてもよい。ある実施形態では、測定は、スループット、伝搬時間、レイテンシなどのホストコンピュータ６１０の測定を促進するプロプライエタリなＵＥシグナリングを伴うことができる。測定は、ソフトウェア６１１及び６３１がＯＴＴ接続６５０を使用してメッセージ（特に、空又は「ダミー」メッセージ）を送信させる一方でそれが伝搬時間、エラーなどを監視することにおいて、実施することができる。
【０１２８】
本開示の範囲から逸脱することなく、本明細書に記載された方法、システム、及び装置に対して修正、追加、又は省略がなされてもよい。この方法は、より多くの、より少ない、又は他のステップを含んでもよい。更に、ステップは、任意の適切な順序で実行されてもよい。システム及び装置のコンポーネントは、統合されていてもよいし、分離されていてもよい。更に、システム及び装置の動作は、より多くの、より少ない、又は他のコンポーネントによって実行されてもよい。更に、システム及び装置の動作は、ソフトウェア、ハードウェア、及び／又は他のロジックを含む任意の適切なロジックを使用して実行され得る。本明細書で使用されるように、「各(each)」は、セットの各メンバ、又はセットのサブセットの各メンバを指す。
【０１２９】
本開示は、特定の実施形態に関して説明されてきたが、実施形態の変更及び置換は当業者には明らかであろう。従って、実施形態の上記の説明は、本開示を制約しない。以下の特許請求の範囲によって規定されるように、本開示の精神及び範囲から逸脱することなく、他の変更(changes)、置換、及び変更(alterations)が可能である。
【図１Ａ】
2021503207.tif 000005
【図１Ｂ】
2021503207.tif 000006
【図１Ｃ】
2021503207.tif 000007
【図２】
2021503207.tif 000008
【図３】
2021503207.tif 000009
【図４】
2021503207.tif 000010
【図５】
2021503207.tif 000011
【図６】
2021503207.tif 000012
【手続補正書】
【提出日】令和2年6月3日(2020.6.3)
【手続補正１】
【補正対象書類名】特許請求の範囲
【補正対象項目名】全文
【補正方法】変更
【補正の内容】
【特許請求の範囲】
【請求項１】
ユーザ装置（２１０）（ＵＥ）により実行される方法であって、前記方法は、
ネットワークノード（２６０）を介して無線アクセスネットワーク（２０６）（ＲＡＮ）への接続を確立すること（１０２）であって、前記接続は、新無線（ＮＲ）パケットデータコンバージェンスプロトコル（ＰＤＣＰ）設定で構成されたシグナリング無線ベアラ（ＳＲＢ）を使用して、前記ＵＥと前記ネットワークノードとの間の通信を提供する、ことと、
無線リソース制御（ＲＲＣ）接続再確立メッセージを受信すること（１０４）と、
前記ＲＡＮへの前記接続を再確立すること（１０６）であって、前記再確立は、ロングタームエボリューション（ＬＴＥ）ＰＤＣＰ設定を前記ＳＲＢに適用することを含む、ことと、
を備える、方法。
【請求項２】
請求項１に記載の方法であって、前記ＳＲＢは、シグナリング無線ベアラ１（ＳＲＢ１）を含む、
方法。
【請求項３】
請求項１乃至２のいずれか一項に記載の方法であって、更に、
ＮＲ暗号化アルゴリズム又はＮＲ完全性保護アルゴリズムのうちの少なくとも１つを、事前定義されたＬＴＥアルゴリズムにマッピングすることを備える、
方法。
【請求項４】
請求項３に記載の方法であって、更に、
少なくとも１つのネットワークノードから前記事前定義されたＬＴＥアルゴリズムを受信することを備える、
方法。
【請求項５】
請求項３乃至４のいずれか一項に記載の方法であって、更に、
前記ネットワークノードからメッセージを受信することと、
前記ＳＲＢの前記ＬＴＥ  ＰＤＣＰ設定と前記事前定義されたＬＴＥアルゴリズムとを用いて前記メッセージを復号することと、
を備える、方法。
【請求項６】
請求項１乃至５のいずれか一項に記載の方法であって、更に、
前記ＳＲＢ上で前記ＬＴＥ  ＰＤＣＰ設定を用いて、少なくとも１つのネットワークノードへメッセージを送信することを備える、
方法。
【請求項７】
請求項１乃至６のいずれか一項に記載の方法であって、前記ネットワークノードは、第２のネットワークノードへ、前記ＵＥに対応する修正されたアクセスストラタム（ＡＳ）コンテキストを提供する、
方法。
【請求項８】
請求項７に記載の方法であって、前記修正されたＡＳコンテキストは、前記ＮＲ  ＰＤＣＰ設定から前記ＬＴＥ  ＰＤＣＰ設定へと変更するインジケーションを含む、
方法。
【請求項９】
請求項７乃至８のいずれか一項に記載の方法であって、前記ネットワークノードが前記第２のネットワークノードへ前記修正されたＡＳコンテキストを提供する前に、前記ネットワークノードは、前記第２のネットワークノードが前記ＮＲ  ＰＤＣＰ設定をサポートしていないことを判定する、
方法。
【請求項１０】
無線アクセスネットワーク（２０６）（ＲＡＮ）におけるネットワークノード（２６０）によって実行される方法であって、前記方法は、
新無線（ＮＲ）パケットデータコンバージェンスプロトコル（ＰＤＣＰ）設定で構成されたシグナリング無線ベアラ（ＳＲＢ）を介して前記ＲＡＮに以前接続されていたユーザ装置（２１０）（ＵＥ）に対して、無線リソース制御（ＲＲＣ）接続再確立メッセージを提供すること（１０３）と、
前記ＲＡＮへの前記ＵＥの接続を再確立すること（１０５）であって、前記再確立は、前記ＳＲＢのロングタームエボリューション（ＬＴＥ）ＰＤＣＰ設定を適用することを含む、ことと、
を備える、方法。
【請求項１１】
請求項１０に記載の方法であって、前記ＳＲＢは、シグナリング無線ベアラ１（ＳＲＢ１）を含む、
方法。
【請求項１２】
請求項１０乃至１１のいずれか一項に記載の方法であって、更に、
ＮＲ暗号化アルゴリズム又はＮＲ完全性保護アルゴリズムのうちの少なくとも１つを、事前定義されたＬＴＥアルゴリズムにマッピングすることを備える、
方法。
【請求項１３】
請求項１２に記載の方法であって、更に、
前記ＵＥに対して前記事前定義されたＬＴＥアルゴリズムを提供することを備える、
方法。
【請求項１４】
請求項１０乃至１３のいずれか一項に記載の方法であって、更に、
前記ＳＲＢ上で前記ＬＴＥ  ＰＤＣＰ設定を用いて、前記ＵＥからメッセージを受信することを備える、
方法。
【請求項１５】
請求項１０乃至１４のいずれか一項に記載の方法であって、更に、
第２のネットワークノードから、前記ＵＥに対応する修正されたアクセスストラタム（ＡＳ）コンテキストを受信することを備える、
方法。
【請求項１６】
請求項１５に記載の方法であって、前記修正されたＡＳコンテキストは、前記ＮＲ  ＰＤＣＰ設定から前記ＬＴＥ  ＰＤＣＰ設定へと変更するインジケーションを含む、
方法。
【請求項１７】
請求項１５乃至１６のいずれか一項に記載の方法であって、前記修正されたＡＳコンテキストを受信する前に、前記第２のネットワークノードは、前記ネットワークノードが前記ＮＲ  ＰＤＣＰ設定をサポートしていないことを判定する、
方法。
【請求項１８】
動作を実行するように構成された処理回路（２２０）を有するユーザ装置（２１０）（ＵＥ）であって、前記動作は、
ネットワークノード（２６０）を介して無線アクセスネットワーク（２０６）（ＲＡＮ）への接続を確立すること（１０２）であって、前記接続は、新無線（ＮＲ）パケットデータコンバージェンスプロトコル（ＰＤＣＰ）設定で構成されたシグナリング無線ベアラ（ＳＲＢ）を使用して、前記ＵＥと前記ネットワークノードとの間の通信を提供する、ことと、
無線リソース制御（ＲＲＣ）接続再確立メッセージを受信すること（１０４）と、
前記ＲＡＮへの前記接続を再確立すること（１０６）であって、前記再確立は、前記ＳＲＢのロングタームエボリューション（ＬＴＥ）ＰＤＣＰ設定を適用することを含む、ことと、
を備える、ユーザ装置。
【請求項１９】
動作を実行するように構成された処理回路（２７０）を有するネットワークノード（２６０）であって、前記動作は、
無線アクセスネットワーク（２０６）（ＲＡＮ）に以前接続されていたユーザ装置（２１０）（ＵＥ）に対して、無線リソース制御（ＲＲＣ）接続再確立メッセージを提供すること（１０３）であって、前記接続は、新無線（ＮＲ）パケットデータコンバージェンスプロトコル（ＰＤＣＰ）設定で構成されたシグナリング無線ベアラ（ＳＲＢ）を用いる通信を提供する、ことと、
前記ＲＡＮへの前記ＵＥの接続を再確立すること（１０５）であって、前記再確立は、前記ＳＲＢのロングタームエボリューション（ＬＴＥ）ＰＤＣＰ設定を適用することを含む、ことと、
を備える、ネットワークノード。
【請求項２０】
システムであって、
第１のネットワークノード（２６０）を介して無線アクセスネットワーク（２０６）（ＲＡＮ）へ通信可能に結合されるユーザ装置（２１０）（ＵＥ）と、
新無線（ＮＲ）パケットデータコンバージェンスプロトコル（ＰＤＣＰ）設定で構成されたシグナリング無線ベアラ（ＳＲＢ）を介して前記ＵＥと通信する（１０３）ように構成された前記第１のネットワークノードと、
前記ＵＥに対して、無線リソース制御（ＲＲＣ）接続再確立メッセージを提供する（１０５）第２のネットワークノード（２６０ｂ）であって、再確立の際に、前記ＵＥは、前記ＳＲＢのロングタームエボリューション（ＬＴＥ）ＰＤＣＰ設定に戻る、第２のネットワークノードと、
を備える、システム。
【請求項２１】
請求項２０に記載のシステムであって、前記第１のネットワークノードは、前記第２のネットワークノードへ、前記ＵＥに対応する修正されたアクセスストラタム（ＡＳ）コンテキストを提供する、
システム。
【請求項２２】
請求項２１に記載のシステムであって、前記第１のネットワークノードが前記第２のネットワークノードへ前記修正されたＡＳコンテキストを提供する前に、前記第１のネットワークノードは、前記第２のネットワークノードが前記ＮＲ  ＰＤＣＰ設定をサポートしていないことを判定する、
システム。
【国際調査報告】
2021503207.tif 000013
2021503207.tif 000014